(57)【特許請求の範囲】
【請求項１】
制御部と記憶部と表示部を少なくとも備えたＢＩＭシステムであって、
前記記憶部は、
建築物のＢＩＭモデルを記憶するＢＩＭモデル記憶手段と、
前記ＢＩＭモデル内に設置される昇降機のＢＩＭパーツを作成するためのパーツ情報を記憶するパーツ情報記憶手段と、
を備え、
前記制御部は、
利用者により入力される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを、前記ＢＩＭモデル記憶手段に記憶された前記ＢＩＭモデル内における当該ＢＩＭパーツの設置予定領域へ設置させる前記利用者の設置操作を検出する操作画面を、前記表示部に表示させる操作画面表示手段と、
前記操作画面表示手段により表示された前記操作画面を介して検出される前記設置操作に応じて、前記ＢＩＭパーツを前記設置予定領域に設置した統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記表示部に表示させる画面表示手段と、
を備え、
前記統合モデリング手段は、前記操作画面を介して前記設置操作が検出されると、前記設置予定領域内に前記ＢＩＭパーツが納まるか否かを判定し、当該ＢＩＭパーツが前記設置予定領域内に納まると判定した場合、前記統合ＢＩＭモデルを作成し、前記ＢＩＭパーツが前記設置予定領域内に納まらないと判定した場合、前記ＢＩＭパーツ及び前記ＢＩＭモデルのうち少なくとも１つを所定条件下で変更して、前記統合ＢＩＭモデルを作成し、
前記統合モデリング手段は、
前記ＢＩＭパーツを変更する前に、当該ＢＩＭパーツに含まれる変更許可モードまたは変更不可モードを示す属性情報を確認することで、当該ＢＩＭパーツを変更可能か否かを判定し、当該ＢＩＭパーツに含まれる属性情報が変更許可モードを示す場合、当該ＢＩＭパーツを変更可能であると判定し、当該ＢＩＭパーツに含まれる属性情報が変更不可モードを示す場合、当該ＢＩＭパーツを変更不可であると判定し、当該ＢＩＭパーツを変更可能である場合、前記昇降機に対して設定された所定条件下で、前記設置予定領域内に納められるようＢＩＭパーツを変更して、統合ＢＩＭモデルを作成し、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かを判定し、当該ＢＩＭモデルに含まれる属性情報が変更許可モードを示す場合、当該ＢＩＭモデルを変更可能であると判定し、当該ＢＩＭモデルに含まれる属性情報が変更不可モードを示す場合、ＢＩＭモデルを変更不可であると判定し、当該ＢＩＭモデルを変更可能である場合、前記建築物に対して設定された所定条件下で、前記ＢＩＭモデルを変更して、前記統合ＢＩＭモデルを作成し、或いは、
前記ＢＩＭパーツと前記ＢＩＭモデルの両方に含まれる属性情報が変更許可モードを示す場合、当該ＢＩＭパーツと当該ＢＩＭモデルの両方を所定条件下で変更して、前記統合ＢＩＭモデルを作成することを特徴とするＢＩＭシステム。
【請求項２】
前記統合モデリング手段は、
前記ＢＩＭパーツが前記設置予定領域内に納まらないと判定した場合、前記設置予定領域内に納められるよう前記ＢＩＭパーツを選択または変更して、前記統合ＢＩＭモデルを作成する請求項１に記載のＢＩＭシステム。
【請求項３】
前記統合モデリング手段は、
前記昇降機モデリング手段により作成された複数の前記ＢＩＭパーツから、前記設置予定領域内に納められる前記ＢＩＭパーツを選択して、前記統合ＢＩＭモデルを作成する請求項２に記載のＢＩＭシステム。
【請求項４】
前記統合モデリング手段は、
前記設置予定領域内に納められるよう当該ＢＩＭパーツの寸法を調整して、前記統合ＢＩＭモデルを作成する請求項２に記載のＢＩＭシステム。
【請求項５】
前記統合モデリング手段は、
前記ＢＩＭモデル内の設置予定領域および当該ＢＩＭモデルを構成する構造ユニットの寸法を調整して、前記統合ＢＩＭモデルを作成する請求項１に記載のＢＩＭシステム。
【請求項６】
前記制御部は、
前記統合モデリング手段が、前記ＢＩＭパーツが前記設置予定領域内に納まらないと判定し、かつ、前記ＢＩＭパーツおよび前記ＢＩＭモデルを変更できないと判定した場合に、エラー情報を出力するエラー出力手段、
を更に備えることを特徴とする請求項１から５のうちいずれか一項に記載のＢＩＭシステム。
【請求項７】
前記エラー出力手段は、前記統合モデリング手段が前記ＢＩＭモデル内の前記設置予定領域に前記ＢＩＭパーツを設置可能な条件を示すガイド情報を、前記エラー情報として出力することを特徴とする請求項６に記載のＢＩＭシステム。
【請求項８】
前記操作画面は、前記ＢＩＭモデル内における当該ＢＩＭパーツの設置不可領域を含むこと特徴とする請求項１から７のうちいずれか一項に記載のＢＩＭシステム。
【請求項９】
前記制御部は、
前記画面表示手段により表示された前記レイアウト画面上で前記ＢＩＭパーツの動作をシミュレーションする動作解析手段、
を更に備えたことを特徴とする請求項１から８のうちいずれか一項に記載のＢＩＭシステム。
【請求項１０】
制御部と記憶部とを少なくとも備えたサーバ装置、および、制御部と記憶部と表示部とを少なくとも備えた端末装置、を通信可能に接続したＢＩＭシステムであって、
前記サーバ装置の前記記憶部は、
建築物のＢＩＭモデル内に設置される昇降機のＢＩＭパーツを作成するためのパーツ情報を記憶するパーツ情報記憶手段、
を備え、
前記サーバ装置の前記制御部は、
前記端末装置から送信される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備え、
前記端末装置の前記記憶部は、
前記ＢＩＭモデルを記憶するＢＩＭモデル記憶手段、
を備え、
前記端末装置の前記制御部は、
前記情報提供手段により前記サーバ装置から送信された前記ＢＩＭパーツを、前記ＢＩＭモデル記憶手段に記憶された前記ＢＩＭモデル内における当該ＢＩＭパーツの設置予定領域へ設置させる前記利用者の設置操作を検出する操作画面を、前記表示部に表示させる操作画面表示手段と、
前記操作画面表示手段により表示された前記操作画面を介して検出される前記設置操作に応じて、前記ＢＩＭパーツを前記設置予定領域に設置した統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記表示部に表示させる画面表示手段と、
を備え、
前記統合モデリング手段は、前記操作画面を介して前記設置操作が検出されると、前記設置予定領域内に前記ＢＩＭパーツが納まるか否かを判定し、当該ＢＩＭパーツが前記設置予定領域内に納まると判定した場合、前記統合ＢＩＭモデルを作成し、前記ＢＩＭパーツが前記設置予定領域内に納まらないと判定した場合、前記ＢＩＭパーツ及び前記ＢＩＭモデルのうち少なくとも１つを所定条件下で変更して、前記統合ＢＩＭモデルを作成し、
前記統合モデリング手段は、
前記ＢＩＭパーツを変更する前に、当該ＢＩＭパーツに含まれる変更許可モードまたは変更不可モードを示す属性情報を確認することで、当該ＢＩＭパーツを変更可能か否かを判定し、当該ＢＩＭパーツに含まれる属性情報が変更許可モードを示す場合、当該ＢＩＭパーツを変更可能であると判定し、当該ＢＩＭパーツに含まれる属性情報が変更不可モードを示す場合、当該ＢＩＭパーツを変更不可であると判定し、当該ＢＩＭパーツを変更可能である場合、前記昇降機に対して設定された所定条件下で、前記設置予定領域内に納められるようＢＩＭパーツを変更して、統合ＢＩＭモデルを作成し、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かを判定し、当該ＢＩＭモデルに含まれる属性情報が変更許可モードを示す場合、当該ＢＩＭモデルを変更可能であると判定し、当該ＢＩＭモデルに含まれる属性情報が変更不可モードを示す場合、ＢＩＭモデルを変更不可であると判定し、当該ＢＩＭモデルを変更可能である場合、前記建築物に対して設定された所定条件下で、前記ＢＩＭモデルを変更して、前記統合ＢＩＭモデルを作成し、或いは、
前記ＢＩＭパーツと前記ＢＩＭモデルの両方に含まれる属性情報が変更許可モードを示す場合、当該ＢＩＭパーツと当該ＢＩＭモデルの両方を所定条件下で変更して、前記統合ＢＩＭモデルを作成することを特徴とするＢＩＭシステム。
【請求項１１】
表示部を少なくとも備えた端末装置に通信可能に接続された、制御部と記憶部とを少なくとも備えたサーバ装置であって、
前記記憶部は、
建築物のＢＩＭモデル内に設置される昇降機のＢＩＭパーツを作成するためのパーツ情報を記憶するパーツ情報記憶手段、
を備え、
前記制御部は、
前記端末装置から送信される作成条件に対応する前記ＢＩＭパーツを、前記パーツ情報記憶手段に記憶された前記パーツ情報を用いて作成する昇降機モデリング手段と、
前記昇降機モデリング手段により作成された前記ＢＩＭパーツを前記端末装置へ送信する情報提供手段と、
を備え、
前記端末装置において、前記ＢＩＭパーツを前記ＢＩＭモデル内における当該ＢＩＭパーツの設置予定領域へ設置させる利用者の設置操作を検出する操作画面が前記表示部にて表示され、前記操作画面を介して検出される前記設置操作に応じて作成された、前記ＢＩＭパーツを前記設置予定領域に設置した統合ＢＩＭモデルを含むレイアウト画面が前記表示部にて表示され、
前記端末装置において、前記操作画面を介して前記設置操作が検出されると、前記設置予定領域内に前記ＢＩＭパーツが納まるか否かが判定され、当該ＢＩＭパーツが前記設置予定領域内に納まると判定された場合、前記統合ＢＩＭモデルが作成され、前記ＢＩＭパーツが前記設置予定領域内に納まらないと判定された場合、前記ＢＩＭパーツ及び前記ＢＩＭモデルのうち少なくとも１つが所定条件下で変更されて、前記統合ＢＩＭモデルが作成され、
前記端末装置において、
前記ＢＩＭパーツを変更する前に、当該ＢＩＭパーツに含まれる変更許可モードまたは変更不可モードを示す属性情報を確認することで、当該ＢＩＭパーツを変更可能か否かが判定され、当該ＢＩＭパーツに含まれる属性情報が変更許可モードを示す場合、当該ＢＩＭパーツを変更可能であると判定され、当該ＢＩＭパーツに含まれる属性情報が変更不可モードを示す場合、当該ＢＩＭパーツを変更不可であると判定され、当該ＢＩＭパーツを変更可能である場合、前記昇降機に対して設定された所定条件下で、前記設置予定領域内に納められるようＢＩＭパーツが変更されて、統合ＢＩＭモデルを作成され、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かが判定され、当該ＢＩＭモデルに含まれる属性情報が変更許可モードを示す場合、当該ＢＩＭモデルを変更可能であると判定され、当該ＢＩＭモデルに含まれる属性情報が変更不可モードを示す場合、ＢＩＭモデルを変更不可であると判定され、当該ＢＩＭモデルを変更可能である場合、前記建築物に対して設定された所定条件下で、前記ＢＩＭモデルが変更されて、前記統合ＢＩＭモデルが作成され、或いは、
前記ＢＩＭパーツと前記ＢＩＭモデルの両方に含まれる属性情報が変更許可モードを示す場合、当該ＢＩＭパーツと当該ＢＩＭモデルの両方が所定条件下が変更されて、前記統合ＢＩＭモデルが作成されることを特徴とするサーバ装置。
【請求項１２】
サーバ装置に通信可能に接続された、制御部と記憶部と表示部とを少なくとも備えた端末装置であって、
前記記憶部は、
建築物のＢＩＭモデルを記憶するＢＩＭモデル記憶手段、
を備え、
前記制御部は、
前記端末装置より送信した作成条件に対応する、前記ＢＩＭモデル内に設置される昇降機のＢＩＭパーツを、前記サーバ装置から受信し、当該ＢＩＭパーツを前記ＢＩＭモデル記憶手段に記憶された前記ＢＩＭモデル内における当該ＢＩＭパーツの設置予定領域へ設置させる前記利用者の設置操作を検出する操作画面を、前記表示部に表示させる操作画面表示手段と、
前記操作画面表示手段により表示された前記操作画面を介して検出される前記設置操作に応じて、前記ＢＩＭパーツを前記設置予定領域に設置した統合ＢＩＭモデルを作成する統合モデリング手段と、
前記統合モデリング手段により作成された前記統合ＢＩＭモデルを含むレイアウト画面を生成する画面生成手段と、
前記画面生成手段により生成された前記レイアウト画面を前記表示部に表示させる画面表示手段と、
を備え、
前記統合モデリング手段は、前記操作画面を介して前記設置操作が検出されると、前記設置予定領域内に前記ＢＩＭパーツが納まるか否かを判定し、当該ＢＩＭパーツが前記設置予定領域内に納まると判定した場合、前記統合ＢＩＭモデルを作成し、前記ＢＩＭパーツが前記設置予定領域内に納まらないと判定した場合、前記ＢＩＭパーツ及び前記ＢＩＭモデルのうち少なくとも１つを所定条件下で変更して、前記統合ＢＩＭモデルを作成し、
前記統合モデリング手段は、
前記ＢＩＭパーツを変更する前に、当該ＢＩＭパーツに含まれる変更許可モードまたは変更不可モードを示す属性情報を確認することで、当該ＢＩＭパーツを変更可能か否かを判定し、当該ＢＩＭパーツに含まれる属性情報が変更許可モードを示す場合、当該ＢＩＭパーツを変更可能であると判定し、当該ＢＩＭパーツに含まれる属性情報が変更不可モードを示す場合、当該ＢＩＭパーツを変更不可であると判定し、当該ＢＩＭパーツを変更可能である場合、前記昇降機に対して設定された所定条件下で、前記設置予定領域内に納められるようＢＩＭパーツを変更して、統合ＢＩＭモデルを作成し、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かを判定し、当該ＢＩＭモデルに含まれる属性情報が変更許可モードを示す場合、当該ＢＩＭモデルを変更可能であると判定し、当該ＢＩＭモデルに含まれる属性情報が変更不可モードを示す場合、ＢＩＭモデルを変更不可であると判定し、当該ＢＩＭモデルを変更可能である場合、前記建築物に対して設定された所定条件下で、前記ＢＩＭモデルを変更して、前記統合ＢＩＭモデルを作成し、或いは、
前記ＢＩＭパーツと前記ＢＩＭモデルの両方に含まれる属性情報が変更許可モードを示す場合、当該ＢＩＭパーツと当該ＢＩＭモデルの両方を所定条件下で変更して、前記統合ＢＩＭモデルを作成することを特徴とする端末装置。
【請求項１３】
制御部と記憶部と表示部を少なくとも備えたＢＩＭシステムにおいて実行される方法であって、
前記記憶部は、
建築物のＢＩＭモデルを記憶するＢＩＭモデル記憶手段と、
前記ＢＩＭモデル内に設置される昇降機のＢＩＭパーツを作成するためのパーツ情報を記憶するパーツ情報記憶手段と、
を備え、
前記制御部において実行される、
利用者により入力される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記ＢＩＭモデル記憶手段に記憶された前記ＢＩＭモデル内における当該ＢＩＭパーツの設置予定領域へ設置させる前記利用者の設置操作を検出する操作画面を、前記表示部に表示させる操作画面表示ステップと、
前記操作画面表示ステップにて表示された前記操作画面を介して検出される前記設置操作に応じて、前記ＢＩＭパーツを前記設置予定領域に設置した統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記表示部に表示させる画面表示ステップと、
を含み、
前記統合モデリングステップにおいて、前記操作画面を介して前記設置操作が検出されると、前記設置予定領域内に前記ＢＩＭパーツが納まるか否かが判定され、当該ＢＩＭパーツが前記設置予定領域内に納まると判定された場合、前記統合ＢＩＭモデルが作成され、前記ＢＩＭパーツが前記設置予定領域内に納まらないと判定された場合、前記ＢＩＭパーツ及び前記ＢＩＭモデルのうち少なくとも１つが所定条件下で変更されて、前記統合ＢＩＭモデルが作成され、
前記統合モデリングステップにおいて、
前記ＢＩＭパーツを変更する前に、当該ＢＩＭパーツに含まれる変更許可モードまたは変更不可モードを示す属性情報を確認することで、当該ＢＩＭパーツを変更可能か否かが判定され、当該ＢＩＭパーツに含まれる属性情報が変更許可モードを示す場合、当該ＢＩＭパーツを変更可能であると判定され、当該ＢＩＭパーツに含まれる属性情報が変更不可モードを示す場合、当該ＢＩＭパーツを変更不可であると判定され、当該ＢＩＭパーツを変更可能である場合、前記昇降機に対して設定された所定条件下で、前記設置予定領域内に納められるようＢＩＭパーツが変更されて、統合ＢＩＭモデルを作成され、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かが判定され、当該ＢＩＭモデルに含まれる属性情報が変更許可モードを示す場合、当該ＢＩＭモデルを変更可能であると判定され、当該ＢＩＭモデルに含まれる属性情報が変更不可モードを示す場合、ＢＩＭモデルを変更不可であると判定され、当該ＢＩＭモデルを変更可能である場合、前記建築物に対して設定された所定条件下で、前記ＢＩＭモデルが変更されて、前記統合ＢＩＭモデルが作成され、或いは、
前記ＢＩＭパーツと前記ＢＩＭモデルの両方に含まれる属性情報が変更許可モードを示す場合、当該ＢＩＭパーツと当該ＢＩＭモデルの両方が所定条件下が変更されて、前記統合ＢＩＭモデルが作成されることを特徴とする方法。
【請求項１４】
制御部と記憶部とを少なくとも備えたサーバ装置、および、制御部と記憶部と表示部とを少なくとも備えた端末装置、を通信可能に接続したＢＩＭシステムにおいて実行される方法であって、
前記サーバ装置の前記記憶部は、
建築物のＢＩＭモデル内に設置される昇降機のＢＩＭパーツを作成するためのパーツ情報を記憶するパーツ情報記憶手段、
を備え、
前記端末装置の前記記憶部は、
前記ＢＩＭモデルを記憶するＢＩＭモデル記憶手段、
を備え、
前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、
前記サーバ装置の前記制御部において実行される、前記昇降機モデリングステップにて作成された前記ＢＩＭパーツを前記端末装置へ送信する情報提供ステップと、
前記端末装置の前記制御部において実行される、前記情報提供ステップにて前記サーバ装置から送信された前記ＢＩＭパーツを、前記ＢＩＭモデル記憶手段に記憶された前記ＢＩＭモデル内における当該ＢＩＭパーツの設置予定領域へ設置させる前記利用者の設置操作を検出する操作画面を、前記表示部に表示させる操作画面表示ステップと、
前記端末装置の前記制御部において実行される、前記操作画面表示ステップにて表示された前記操作画面を介して検出される前記設置操作に応じて、前記ＢＩＭパーツを前記設置予定領域に設置した統合ＢＩＭモデルを作成する統合モデリングステップと、
前記端末装置の前記制御部において実行される、前記統合モデリングステップにて作成された前記統合ＢＩＭモデルを含むレイアウト画面を生成する画面生成ステップと、
前記端末装置の前記制御部において実行される、前記画面生成ステップにて生成された前記レイアウト画面を前記表示部に表示させる画面表示ステップと、
を含み、
前記統合モデリングステップにおいて、前記操作画面を介して前記設置操作が検出されると、前記設置予定領域内に前記ＢＩＭパーツが納まるか否かが判定され、当該ＢＩＭパーツが前記設置予定領域内に納まると判定された場合、前記統合ＢＩＭモデルが作成され、前記ＢＩＭパーツが前記設置予定領域内に納まらないと判定された場合、前記ＢＩＭパーツ及び前記ＢＩＭモデルのうち少なくとも１つが所定条件下で変更されて、前記統合ＢＩＭモデルが作成され、
前記統合モデリングステップにおいて、
前記ＢＩＭパーツを変更する前に、当該ＢＩＭパーツに含まれる変更許可モードまたは変更不可モードを示す属性情報を確認することで、当該ＢＩＭパーツを変更可能か否かが判定され、当該ＢＩＭパーツに含まれる属性情報が変更許可モードを示す場合、当該ＢＩＭパーツを変更可能であると判定され、当該ＢＩＭパーツに含まれる属性情報が変更不可モードを示す場合、当該ＢＩＭパーツを変更不可であると判定され、当該ＢＩＭパーツを変更可能である場合、前記昇降機に対して設定された所定条件下で、前記設置予定領域内に納められるようＢＩＭパーツが変更されて、統合ＢＩＭモデルを作成され、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かが判定され、当該ＢＩＭモデルに含まれる属性情報が変更許可モードを示す場合、当該ＢＩＭモデルを変更可能であると判定され、当該ＢＩＭモデルに含まれる属性情報が変更不可モードを示す場合、ＢＩＭモデルを変更不可であると判定され、当該ＢＩＭモデルを変更可能である場合、前記建築物に対して設定された所定条件下で、前記ＢＩＭモデルが変更されて、前記統合ＢＩＭモデルが作成され、或いは、
前記ＢＩＭパーツと前記ＢＩＭモデルの両方に含まれる属性情報が変更許可モードを示す場合、当該ＢＩＭパーツと当該ＢＩＭモデルの両方が所定条件下が変更されて、前記統合ＢＩＭモデルが作成されることを特徴とする方法。
【請求項１５】
表示部を少なくとも備えた端末装置に通信可能に接続された、制御部と記憶部とを少なくとも備えたサーバ装置において実行される方法であって、
前記記憶部は、
建築物のＢＩＭモデル内に設置される昇降機のＢＩＭパーツを作成するためのパーツ情報を記憶するパーツ情報記憶手段、
を備え、
前記制御部において実行される、
前記端末装置から送信される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを前記端末装置へ送信する情報提供ステップと、
を含み、
前記端末装置において、前記ＢＩＭパーツを前記ＢＩＭモデル内における当該ＢＩＭパーツの設置予定領域へ設置させる利用者の設置操作を検出する操作画面が前記表示部にて表示され、前記操作画面を介して検出される前記設置操作に応じて作成された、前記ＢＩＭパーツを前記設置予定領域に設置した統合ＢＩＭモデルを含むレイアウト画面が前記表示部にて表示され、
前記端末装置において、前記操作画面を介して前記設置操作が検出されると、前記設置予定領域内に前記ＢＩＭパーツが納まるか否かが判定され、当該ＢＩＭパーツが前記設置予定領域内に納まると判定された場合、前記統合ＢＩＭモデルが作成され、前記ＢＩＭパーツが前記設置予定領域内に納まらないと判定された場合、前記ＢＩＭパーツ及び前記ＢＩＭモデルのうち少なくとも１つが所定条件下で変更されて、前記統合ＢＩＭモデルが作成され、
前記端末装置において、
前記ＢＩＭパーツを変更する前に、当該ＢＩＭパーツに含まれる変更許可モードまたは変更不可モードを示す属性情報を確認することで、当該ＢＩＭパーツを変更可能か否かが判定され、当該ＢＩＭパーツに含まれる属性情報が変更許可モードを示す場合、当該ＢＩＭパーツを変更可能であると判定され、当該ＢＩＭパーツに含まれる属性情報が変更不可モードを示す場合、当該ＢＩＭパーツを変更不可であると判定され、当該ＢＩＭパーツを変更可能である場合、前記昇降機に対して設定された所定条件下で、前記設置予定領域内に納められるようＢＩＭパーツが変更されて、統合ＢＩＭモデルを作成され、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かが判定され、当該ＢＩＭモデルに含まれる属性情報が変更許可モードを示す場合、当該ＢＩＭモデルを変更可能であると判定され、当該ＢＩＭモデルに含まれる属性情報が変更不可モードを示す場合、ＢＩＭモデルを変更不可であると判定され、当該ＢＩＭモデルを変更可能である場合、前記建築物に対して設定された所定条件下で、前記ＢＩＭモデルが変更されて、前記統合ＢＩＭモデルが作成され、或いは、
前記ＢＩＭパーツと前記ＢＩＭモデルの両方に含まれる属性情報が変更許可モードを示す場合、当該ＢＩＭパーツと当該ＢＩＭモデルの両方が所定条件下が変更されて、前記統合ＢＩＭモデルが作成されることを特徴とする方法。
【請求項１６】
サーバ装置に通信可能に接続された、制御部と記憶部と表示部とを少なくとも備えた端末装置において実行される方法であって、
前記記憶部は、
建築物のＢＩＭモデルを記憶するＢＩＭモデル記憶手段、
を備え、
前記制御部において実行される、
前記端末装置より送信した作成条件に対応する、前記ＢＩＭモデル内に設置される昇降機のＢＩＭパーツを、前記サーバ装置から受信し、当該ＢＩＭパーツを前記ＢＩＭモデル記憶手段に記憶された前記ＢＩＭモデル内における当該ＢＩＭパーツの設置予定領域へ設置させる前記利用者の設置操作を検出する操作画面を、前記表示部に表示させる操作画面表示ステップと、
前記操作画面表示ステップにて表示された前記操作画面を介して検出される前記設置操作に応じて、前記ＢＩＭパーツを前記設置予定領域に設置した統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記表示部に表示させる画面表示ステップと、
を含み、
前記統合モデリングステップにおいて、前記操作画面を介して前記設置操作が検出されると、前記設置予定領域内に前記ＢＩＭパーツが納まるか否かが判定され、当該ＢＩＭパーツが前記設置予定領域内に納まると判定された場合、前記統合ＢＩＭモデルが作成され、前記ＢＩＭパーツが前記設置予定領域内に納まらないと判定された場合、前記ＢＩＭパーツ及び前記ＢＩＭモデルのうち少なくとも１つが所定条件下で変更されて、前記統合ＢＩＭモデルが作成され、
前記統合モデリングステップにおいて、
前記ＢＩＭパーツを変更する前に、当該ＢＩＭパーツに含まれる変更許可モードまたは変更不可モードを示す属性情報を確認することで、当該ＢＩＭパーツを変更可能か否かが判定され、当該ＢＩＭパーツに含まれる属性情報が変更許可モードを示す場合、当該ＢＩＭパーツを変更可能であると判定され、当該ＢＩＭパーツに含まれる属性情報が変更不可モードを示す場合、当該ＢＩＭパーツを変更不可であると判定され、当該ＢＩＭパーツを変更可能である場合、前記昇降機に対して設定された所定条件下で、前記設置予定領域内に納められるようＢＩＭパーツが変更されて、統合ＢＩＭモデルを作成され、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かが判定され、当該ＢＩＭモデルに含まれる属性情報が変更許可モードを示す場合、当該ＢＩＭモデルを変更可能であると判定され、当該ＢＩＭモデルに含まれる属性情報が変更不可モードを示す場合、ＢＩＭモデルを変更不可であると判定され、当該ＢＩＭモデルを変更可能である場合、前記建築物に対して設定された所定条件下で、前記ＢＩＭモデルが変更されて、前記統合ＢＩＭモデルが作成され、或いは、
前記ＢＩＭパーツと前記ＢＩＭモデルの両方に含まれる属性情報が変更許可モードを示す場合、当該ＢＩＭパーツと当該ＢＩＭモデルの両方が所定条件下が変更されて、前記統合ＢＩＭモデルが作成されることを特徴とする方法。
【請求項１７】
制御部と記憶部と表示部を少なくとも備えたＢＩＭシステムに実行させるためのプログラムであって、
前記記憶部は、
建築物のＢＩＭモデルを記憶するＢＩＭモデル記憶手段と、
前記ＢＩＭモデル内に設置される昇降機のＢＩＭパーツを作成するためのパーツ情報を記憶するパーツ情報記憶手段と、
を備え、
前記制御部において、
利用者により入力される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを、前記ＢＩＭモデル記憶手段に記憶された前記ＢＩＭモデル内における当該ＢＩＭパーツの設置予定領域へ設置させる前記利用者の設置操作を検出する操作画面を、前記表示部に表示させる操作画面表示ステップと、
前記操作画面表示ステップにて表示された前記操作画面を介して検出される前記設置操作に応じて、前記ＢＩＭパーツを前記設置予定領域に設置した統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記表示部に表示させる画面表示ステップと、
を実行させ、
前記統合モデリングステップにおいて、前記操作画面を介して前記設置操作が検出されると、前記設置予定領域内に前記ＢＩＭパーツが納まるか否かが判定され、当該ＢＩＭパーツが前記設置予定領域内に納まると判定された場合、前記統合ＢＩＭモデルが作成され、前記ＢＩＭパーツが前記設置予定領域内に納まらないと判定された場合、前記ＢＩＭパーツ及び前記ＢＩＭモデルのうち少なくとも１つが所定条件下で変更されて、前記統合ＢＩＭモデルが作成され、
前記統合モデリングステップにおいて、
前記ＢＩＭパーツを変更する前に、当該ＢＩＭパーツに含まれる変更許可モードまたは変更不可モードを示す属性情報を確認することで、当該ＢＩＭパーツを変更可能か否かが判定され、当該ＢＩＭパーツに含まれる属性情報が変更許可モードを示す場合、当該ＢＩＭパーツを変更可能であると判定され、当該ＢＩＭパーツに含まれる属性情報が変更不可モードを示す場合、当該ＢＩＭパーツを変更不可であると判定され、当該ＢＩＭパーツを変更可能である場合、前記昇降機に対して設定された所定条件下で、前記設置予定領域内に納められるようＢＩＭパーツが変更されて、統合ＢＩＭモデルを作成され、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かが判定され、当該ＢＩＭモデルに含まれる属性情報が変更許可モードを示す場合、当該ＢＩＭモデルを変更可能であると判定され、当該ＢＩＭモデルに含まれる属性情報が変更不可モードを示す場合、ＢＩＭモデルを変更不可であると判定され、当該ＢＩＭモデルを変更可能である場合、前記建築物に対して設定された所定条件下で、前記ＢＩＭモデルが変更されて、前記統合ＢＩＭモデルが作成され、或いは、
前記ＢＩＭパーツと前記ＢＩＭモデルの両方に含まれる属性情報が変更許可モードを示す場合、当該ＢＩＭパーツと当該ＢＩＭモデルの両方が所定条件下が変更されて、前記統合ＢＩＭモデルが作成されることを特徴とするプログラム。
【請求項１８】
表示部を少なくとも備えた端末装置に通信可能に接続された、制御部と記憶部とを少なくとも備えたサーバ装置に実行させるためのプログラムであって、
前記記憶部は、
建築物のＢＩＭモデル内に設置される昇降機のＢＩＭパーツを作成するためのパーツ情報を記憶するパーツ情報記憶手段、
を備え、
前記制御部において、
前記端末装置から送信される作成条件に対応する前記ＢＩＭパーツを、前記パーツ情報記憶手段に記憶された前記パーツ情報を用いて作成する昇降機モデリングステップと、
前記昇降機モデリングステップにて作成された前記ＢＩＭパーツを前記端末装置へ送信する情報提供ステップと、
を実行させ、
前記端末装置において、前記ＢＩＭパーツを前記ＢＩＭモデル内における当該ＢＩＭパーツの設置予定領域へ設置させる利用者の設置操作を検出する操作画面が前記表示部にて表示され、前記操作画面を介して検出される前記設置操作に応じて作成された、前記ＢＩＭパーツを前記設置予定領域に設置した統合ＢＩＭモデルを含むレイアウト画面が前記表示部にて表示され、
前記端末装置において、前記操作画面を介して前記設置操作が検出されると、前記設置予定領域内に前記ＢＩＭパーツが納まるか否かが判定され、当該ＢＩＭパーツが前記設置予定領域内に納まると判定された場合、前記統合ＢＩＭモデルが作成され、前記ＢＩＭパーツが前記設置予定領域内に納まらないと判定された場合、前記ＢＩＭパーツ及び前記ＢＩＭモデルのうち少なくとも１つが所定条件下で変更されて、前記統合ＢＩＭモデルが作成され、
前記端末装置において、
前記ＢＩＭパーツを変更する前に、当該ＢＩＭパーツに含まれる変更許可モードまたは変更不可モードを示す属性情報を確認することで、当該ＢＩＭパーツを変更可能か否かが判定され、当該ＢＩＭパーツに含まれる属性情報が変更許可モードを示す場合、当該ＢＩＭパーツを変更可能であると判定され、当該ＢＩＭパーツに含まれる属性情報が変更不可モードを示す場合、当該ＢＩＭパーツを変更不可であると判定され、当該ＢＩＭパーツを変更可能である場合、前記昇降機に対して設定された所定条件下で、前記設置予定領域内に納められるようＢＩＭパーツが変更されて、統合ＢＩＭモデルを作成され、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かが判定され、当該ＢＩＭモデルに含まれる属性情報が変更許可モードを示す場合、当該ＢＩＭモデルを変更可能であると判定され、当該ＢＩＭモデルに含まれる属性情報が変更不可モードを示す場合、ＢＩＭモデルを変更不可であると判定され、当該ＢＩＭモデルを変更可能である場合、前記建築物に対して設定された所定条件下で、前記ＢＩＭモデルが変更されて、前記統合ＢＩＭモデルが作成され、或いは、
前記ＢＩＭパーツと前記ＢＩＭモデルの両方に含まれる属性情報が変更許可モードを示す場合、当該ＢＩＭパーツと当該ＢＩＭモデルの両方が所定条件下が変更されて、前記統合ＢＩＭモデルが作成されることを特徴とするプログラム。
【請求項１９】
サーバ装置に通信可能に接続された、制御部と記憶部と表示部とを少なくとも備えた端末装置に実行させるためのプログラムであって、
前記記憶部は、
建築物のＢＩＭモデルを記憶するＢＩＭモデル記憶手段、
を備え、
前記制御部において、
前記端末装置より送信した作成条件に対応する、前記ＢＩＭモデル内に設置される昇降機のＢＩＭパーツを、前記サーバ装置から受信し、当該ＢＩＭパーツを前記ＢＩＭモデル記憶手段に記憶された前記ＢＩＭモデル内における当該ＢＩＭパーツの設置予定領域へ設置させる前記利用者の設置操作を検出する操作画面を、前記表示部に表示させる操作画面表示ステップと、
前記操作画面表示ステップにて表示された前記操作画面を介して検出される前記設置操作に応じて、前記ＢＩＭパーツを前記設置予定領域に設置した統合ＢＩＭモデルを作成する統合モデリングステップと、
前記統合モデリングステップにて作成された前記統合ＢＩＭモデルを含むレイアウト画面を生成する画面生成ステップと、
前記画面生成ステップにて生成された前記レイアウト画面を前記表示部に表示させる画面表示ステップと、
を実行させ、
前記統合モデリングステップにおいて、前記操作画面を介して前記設置操作が検出されると、前記設置予定領域内に前記ＢＩＭパーツが納まるか否かが判定され、当該ＢＩＭパーツが前記設置予定領域内に納まると判定された場合、前記統合ＢＩＭモデルが作成され、前記ＢＩＭパーツが前記設置予定領域内に納まらないと判定された場合、前記ＢＩＭパーツ及び前記ＢＩＭモデルのうち少なくとも１つが所定条件下で変更されて、前記統合ＢＩＭモデルが作成され、
前記統合モデリングステップにおいて、
前記ＢＩＭパーツを変更する前に、当該ＢＩＭパーツに含まれる変更許可モードまたは変更不可モードを示す属性情報を確認することで、当該ＢＩＭパーツを変更可能か否かが判定され、当該ＢＩＭパーツに含まれる属性情報が変更許可モードを示す場合、当該ＢＩＭパーツを変更可能であると判定され、当該ＢＩＭパーツに含まれる属性情報が変更不可モードを示す場合、当該ＢＩＭパーツを変更不可であると判定され、当該ＢＩＭパーツを変更可能である場合、前記昇降機に対して設定された所定条件下で、前記設置予定領域内に納められるようＢＩＭパーツが変更されて、統合ＢＩＭモデルを作成され、或いは、
前記ＢＩＭモデルを変更する前に、当該ＢＩＭモデルに含まれる変更許可モードまたは変更不可モードを示す属性情報を確認することで、当該ＢＩＭモデルを変更可能か否かが判定され、当該ＢＩＭモデルに含まれる属性情報が変更許可モードを示す場合、当該ＢＩＭモデルを変更可能であると判定され、当該ＢＩＭモデルに含まれる属性情報が変更不可モードを示す場合、ＢＩＭモデルを変更不可であると判定され、当該ＢＩＭモデルを変更可能である場合、前記建築物に対して設定された所定条件下で、前記ＢＩＭモデルが変更されて、前記統合ＢＩＭモデルが作成され、或いは、
前記ＢＩＭパーツと前記ＢＩＭモデルの両方に含まれる属性情報が変更許可モードを示す場合、当該ＢＩＭパーツと当該ＢＩＭモデルの両方が所定条件下が変更されて、前記統合ＢＩＭモデルが作成されることを特徴とするプログラム。
【発明の詳細な説明】
【技術分野】
【０００１】
本発明の実施形態は、ＢＩＭシステム、サーバ装置、端末装置、方法及びプログラムに関する。
【背景技術】
【０００２】
従来、昇降機メーカの担当者は、昇降機を備える建築物を設計する客先に対して、平面図や断面図等の二次元図面およびカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本発明が解決しようとする課題は、昇降機の設備計画を提案する際、建築物に昇降機を組み込んだ状態を視覚的に分かりやすく表示することができるＢＩＭシステム、サーバ装置、端末装置、方法及びプログラムを提供することである。
【課題を解決するための手段】
【０００５】
実施形態のＢＩＭシステムは、制御部と記憶部と表示部を少なくとも備えたＢＩＭシステムである。前記記憶部は、建築物のＢＩＭモデルを記憶するＢＩＭモデル記憶手段と、前記ＢＩＭモデル内に設置される昇降機のＢＩＭパーツを作成するためのパーツ情報を記憶するパーツ情報記憶手段と、を備える。前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデル内における当該ＢＩＭパーツの設置予定領域へ設置させる前記利用者の設置操作を検出する操作画面を、前記表示部に表示させる操作画面表示手段と、前記操作画面表示手段により表示された前記操作画面を介して検出される前記設置操作に応じて、前記ＢＩＭパーツを前記設置予定領域に設置した統合ＢＩＭモデルを作成する統合モデリング手段と、前記統合モデリング手段により作成された前記統合ＢＩＭモデルを含むレイアウト画面を生成する画面生成手段と、前記画面生成手段により生成された前記レイアウト画面を前記表示部に表示させる画面表示手段と、を備え、前記統合モデリング手段は、前記操作画面を介して前記設置操作が検出されると、前記設置予定領域内に前記ＢＩＭパーツが納まるか否かを判定し、当該ＢＩＭパーツが前記設置予定領域内に納まると判定した場合、前記統合ＢＩＭモデルを作成し、前記ＢＩＭパーツが前記設置予定領域内に納まらないと判定した場合、前記ＢＩＭパーツ及び前記ＢＩＭモデルのうち少なくとも１つを所定条件下で変更して、前記統合ＢＩＭモデルを作成し、前記統合モデリング手段は、前記ＢＩＭパーツを変更する前に、当該ＢＩＭパーツに含まれる変更許可モードまたは変更不可モードを示す属性情報を確認することで、当該ＢＩＭパーツを変更可能か否かを判定し、当該ＢＩＭパーツに含まれる属性情報が変更許可モードを示す場合、当該ＢＩＭパーツを変更可能であると判定し、当該ＢＩＭパーツに含まれる属性情報が変更不可モードを示す場合、当該ＢＩＭパーツを変更不可であると判定し、当該ＢＩＭパーツを変更可能である場合、前記昇降機に対して設定された所定条件下で、前記設置予定領域内に納められるようＢＩＭパーツを変更して、統合ＢＩＭモデルを作成し、或いは、前記ＢＩＭモデルを変更する前に、当該ＢＩＭモデルに含まれる変更許可モードまたは変更不可モードを示す属性情報を確認することで、当該ＢＩＭモデルを変更可能か否かを判定し、当該ＢＩＭモデルに含まれる属性情報が変更許可モードを示す場合、当該ＢＩＭモデルを変更可能であると判定し、当該ＢＩＭモデルに含まれる属性情報が変更不可モードを示す場合、ＢＩＭモデルを変更不可であると判定し、当該ＢＩＭモデルを変更可能である場合、前記建築物に対して設定された所定条件下で、前記ＢＩＭモデルを変更して、前記統合ＢＩＭモデルを作成し、或いは、前記ＢＩＭパーツと前記ＢＩＭモデルの両方に含まれる属性情報が変更許可モードを示す場合、当該ＢＩＭパーツと当該ＢＩＭモデルの両方を所定条件下で変更して、前記統合ＢＩＭモデルを作成する。
【図面の簡単な説明】
【０００６】
【図１】図１は、建築物の設計図書およびＢＩＭモデルの一例を示す概念図である。
【図２】図２は、第１の実施形態におけるＢＩＭシステムの構成の一例を示すブロック図である。
【図３】図３は、第１の実施形態におけるＢＩＭシステムの処理の一例を示すフローチャートである。
【図４】図４は、昇降機のＢＩＭパーツの一例を示す図である。
【図５】図５は、操作画面の一例を示す図である。
【図６】図６は、操作画面の一例を示す図である。
【図７】図７は、操作画面の一例を示す図である。
【図８】図８は、統合ＢＩＭモデルを含むレイアウト画面の一例を示す図である。
【図９】図９は、操作画面の一例を示す図である。
【図１０】図１０は、操作画面の一例を示す図である。
【図１１】図１１は、操作画面の一例を示す図である。
【図１２】図１２は、操作画面の一例を示す図である。
【図１３】図１３は、操作画面の一例を示す図である。
【図１４】図１４は、第２の実施形態におけるＢＩＭシステムの構成の一例を示すブロック図である。
【図１５】図１５は、第２の実施形態におけるＢＩＭシステムの処理の一例を示すフローチャートである。
【発明を実施するための形態】
【０００７】
以下に、実施形態にかかるＢＩＭシステム、サーバ装置、端末装置、方法およびプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデリング）の概要について説明する。図１は、建築物の設計図書およびＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性および整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体データである建築物の３次元モデル（すなわち、建築物のＢＩＭモデル）を共有することができるので、１個のデータ上で関連性および整合性の確認を行うことができる。以下の実施形態では、このＢＩＭを使用した昇降機客先提案システムについて説明する。
【０００９】
以下、実施形態の構成および処理について、第１の実施形態（ＢＩＭシステム（通信型））、第２の実施形態（ＢＩＭシステム（スタンドアロン型））の順にて詳細に説明する。
【００１０】
［第１の実施形態］
最初に、第１の実施形態について、図２乃至図１３を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、および、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えており、端末装置１００は、出力部（表示部１１４および音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する建築物のＢＩＭモデル内に設置される昇降機のＢＩＭパーツを、記憶部２０６に記憶されたパーツ情報を用いて作成し、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報データベース２０６ａは、建築物のＢＩＭモデル内に設置される昇降機のＢＩＭパーツを作成するためのパーツ情報を記憶するパーツ情報記憶手段である。本実施形態において、昇降機は、エレベータおよび乗客コンベアを含む概念であり、乗客コンベアは、エスカレータおよび動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース（設置予定領域）、寸法、各種付属設備に関する情報、昇降機を構成する必要部材の部材強度、価格、寸法、質量、色、素材、固有振動数といった情報の他、納期、在庫状況、据付時間、仕上げ材、耐用年数、メーカ情報、品番型番などが挙げられるが、これに限定されない。
【００１６】
より具体的には、本実施形態において、パーツ情報は、後述の制御部１０２の処理によりＢＩＭパーツの動作を解析する際に用いられるＢＩＭパーツの動作パラメータを含む。ここで、動作パラメータは、昇降機の台数、定員、動作速度、動作パターン等を規定するパラメータである。ここで、パーツ情報は、ＢＩＭパーツを構成する各ユニットに関する情報を含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配管・配線等が挙げられる。また、ＢＩＭパーツを構成する各ユニットとしては、昇降機がエスカレータである場合には、トラス、踏段、踏段チェーン、移動手摺、乗降板、欄干、駆動装置、機械室、制御盤、電源設備、各種配管・配線等が挙げられる。なお、ＢＩＭパーツは、典型的なＢＩＭモデルと同様に、このＢＩＭパーツ自体に対象の昇降機に関連するパーツ情報等の属性情報を含んでいる。本実施形態において、例えば、ＢＩＭモデルは、予め利用者により設定された、所定条件下で当該ＢＩＭパーツを変更できる変更可能モードまたは当該ＢＩＭパーツを変更できない変更不可モードを示す属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、および、情報提供部２０２ｃを備える。
【００１８】
このうち、作成条件受信部２０２ａは、端末装置１００から送信される作成条件を受信する作成条件受信手段である。ここで、作成条件は、利用者が所望する昇降機の仕様を示す条件である。つまり、作成条件は、建築物のＢＩＭモデル内に設置される昇降機のＢＩＭパーツを作成するための条件を指定する。作成条件にはこの他、希望の価格、納期等を含んでもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。ここで、昇降機モデリング部２０２ｂは、作成した昇降機のＢＩＭパーツを記憶部２０６に格納して、ＢＩＭパーツデータベース（図示せず）を構築してもよい。
【００２０】
また、情報提供部２０２ｃは、昇降機モデリング部２０２ｂにより作成された昇降機のＢＩＭパーツを端末装置１００へ送信する情報提供手段である。
【００２１】
［端末装置１００の構成］
また、図２において、端末装置１００は、サーバ装置２００から送信されたＢＩＭパーツを、記憶部１０６に記憶されたＢＩＭモデル内における当該ＢＩＭパーツの設置予定領域へ設置させる利用者の設置操作を検出する操作画面を、表示部１１４に表示させる等の機能を有する。また、端末装置１００は、操作画面を介して検出される設置操作に応じて、ＢＩＭパーツを設置予定領域に設置した統合ＢＩＭモデルを作成し、作成された統合ＢＩＭモデルを含むレイアウト画面を生成し、生成されたレイアウト画面を表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００２２】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、および、ゲームパッド等）、マウス、キーボード、および、マイク等であってもよい。また、入出力制御インターフェース部１０８は、表示部１１４、音声出力部１１６、および、入力部１１８等の制御を行う。
【００２３】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００およびサーバ装置２００と、外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００２４】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ＢＩＭモデルデータベース１０６ａ等）を格納してもよい。ここで、記憶部１０６は、各種のファイル等を一時的に記憶するものであってもよい。
【００２５】
また、ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の寸法や数量や特性、部材強度、固有振動数、耐用年数等の構造情報が含まれるが、これに限定されない。なお、ＢＩＭモデルは、このＢＩＭモデル自体に対象の建築物に関連する構造情報等の属性情報を含んでいる。本実施形態において、例えば、ＢＩＭモデルは、対象の建築物を構成する各構造ユニットに関する寸法、位置等を示す属性情報を含んでいる。ここで、ＢＩＭモデルを構成する各構造ユニットとしては、例えば、建築物に配置される部屋、通路、非常階段、避難経路、ガス管、水道管、火災報知機、スプリンクラー、梁等が挙げられる。また、ＢＩＭモデルは、予め利用者により設定された、所定条件下で当該ＢＩＭモデルを変更できる変更可能モードまたは当該ＢＩＭモデルを変更できない変更不可モードを示す属性情報を含んでいる。
【００２６】
また、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、作成条件送信部１０２ａ、操作画面表示部１０２ｂ、統合モデリング部１０２ｃ、エラー出力部１０２ｄ、画面生成部１０２ｅ、画面表示部１０２ｆ、および、動作解析部１０２ｇを備える。
【００２７】
このうち、作成条件送信部１０２ａは、利用者により入力される作成条件をサーバ装置２００へ送信する作成条件送信手段である。ここで、作成条件は、利用者が所望する昇降機の仕様を示す条件である。上述のように作成条件には希望の価格、納期等を含めてもよい。つまり、作成条件は、建築物のＢＩＭモデル内に設置される昇降機のＢＩＭパーツを作成するための条件を指定する。また、作成条件は、利用者により入力部１１８を介して入力されたものであってもよいし、予め作成条件が記憶された外部記憶装置（図示せず）から読み込まれたものであってもよい。
【００２８】
また、操作画面表示部１０２ｂは、情報提供部２０２ｃによりサーバ装置２００から送信されたＢＩＭパーツを、ＢＩＭモデルデータベース１０６ａに記憶されたＢＩＭモデル内における当該ＢＩＭパーツの設置予定領域へ設置させる利用者の設置操作を検出する操作画面を、表示部１１４に表示させる操作画面表示手段である。操作画面は、ＢＩＭパーツおよびＢＩＭモデルを少なくとも含む画面であり、当該操作画面上でＢＩＭパーツは移動可能である。ここで、操作画面は、ＢＩＭモデル内におけるＢＩＭパーツの設置不可領域を含んでいてもよい。設置不可領域は、例えば、ＢＩＭモデル内の非常階段、避難経路、ガス管、水道管、火災報知機、スプリンクラー、梁等の付近など建築物の構造上、昇降機を設置できない領域である。また、本実施形態において、利用者の設置操作は、例えば、マウス等の入力部１１８を介して検出される、ＢＩＭパーツをドラッグし、ＢＩＭモデル上の設置予定領域へドロップする操作である。また、表示部１１４がタッチパネルで構成される場合、利用者の設置操作は、例えば、利用者の指がＢＩＭパーツをタッチして選択し、そのままスワイプさせてＢＩＭモデル上の設置予定領域でタッチを離す操作であってもよい。
【００２９】
また、統合モデリング部１０２ｃは、操作画面表示部１０２ｂにより表示された操作画面を介して検出される設置操作に応じて、ＢＩＭパーツを設置予定領域に設置した統合ＢＩＭモデルを作成する統合モデリング手段である。ここで、統合モデリング部１０２ｃは、作成した統合ＢＩＭモデルを記憶部１０６に格納して、統合ＢＩＭモデルデータベース（図示せず）を構築してもよい。
【００３０】
本実施形態において、統合モデリング部１０２ｃは、操作画面を介して設置操作が検出されると、設置予定領域内にＢＩＭパーツが納まるか否かを判定し、当該ＢＩＭパーツが設置予定領域内に納まると判定した場合、統合ＢＩＭモデルを作成する。具体的には、統合モデリング部１０２ｃは、操作画面を介して設置操作が検出されると、ＢＩＭモデルに含まれる属性情報が示す対象の設置予定領域の寸法と、ＢＩＭパーツに含まれる属性情報が示す対象のＢＩＭパーツの寸法とを比較して、設置予定領域内にＢＩＭパーツが納まるか否かを判定する。より具体的には、統合モデリング部１０２ｃは、ＢＩＭパーツの寸法が設置予定領域の寸法未満である場合、設置予定領域内にＢＩＭパーツが納まると判定する。一方、統合モデリング部１０２ｃは、ＢＩＭパーツの寸法が設置予定領域の寸法より大きい場合、設置予定領域内にＢＩＭパーツが納まらないと判定する。
【００３１】
ここで、統合モデリング部１０２ｃは、ＢＩＭパーツが設置予定領域内に納まらないと判定した場合、サーバ装置２００により作成され、送信された複数のＢＩＭパーツから、設置予定領域内に納められるＢＩＭパーツを選択して、選択した当該ＢＩＭパーツを設置予定領域に設置した統合ＢＩＭモデルを作成する。あるいは、統合モデリング部１０２ｃは、ＢＩＭパーツが設置予定領域内に納まらないと判定した場合、設置予定領域内に納められるよう当該ＢＩＭパーツの寸法を調整して、寸法を調整した当該ＢＩＭパーツを設置予定領域に設置した統合ＢＩＭモデルを作成する。
【００３２】
なお、統合モデリング部１０２ｃは、昇降機のＢＩＭパーツを変更する前に、対象のＢＩＭパーツに含まれる変更許可モードまたは変更不可モードを示す属性情報を確認することで、ＢＩＭパーツを変更可能か否かを判定している。つまり、統合モデリング部１０２ｃは、対象のＢＩＭパーツに含まれる属性情報が変更許可モードを示す場合、ＢＩＭパーツを変更可能であると判定する。一方、統合モデリング部１０２ｃは、対象のＢＩＭパーツに含まれる属性情報が変更不可モードを示す場合、ＢＩＭパーツを変更不可であると判定する。そして、統合モデリング部１０２ｃは、ＢＩＭパーツを変更可能である場合、昇降機に対して設定された所定条件（例えば、作成条件、昇降機の設計基準等）下で、設置予定領域内に納められるようＢＩＭパーツを変更して、統合ＢＩＭモデルを作成する。
【００３３】
また、統合モデリング部１０２ｃは、ＢＩＭパーツが設置予定領域内に納まらないと判定した場合、ＢＩＭモデルを変更して、統合ＢＩＭモデルを作成してもよい。具体的には、統合モデリング部１０２ｃは、ＢＩＭモデル内の設置予定領域および当該ＢＩＭモデルを構成する構造ユニット（例えば、部屋、通路、階段等）の寸法および／または位置を調整して、統合ＢＩＭモデルを作成する。ここで、統合モデリング部１０２ｃは設置予定領域の寸法および／または位置を調整してもよい。
【００３４】
なお、統合モデリング部１０２ｃは、建築物のＢＩＭモデルを変更する前に、対象のＢＩＭモデルに含まれる変更許可モードまたは変更不可モードを示す属性情報を確認することで、ＢＩＭモデルを変更可能か否かを判定している。つまり、統合モデリング部１０２ｃは、対象のＢＩＭモデルに含まれる属性情報が変更許可モードを示す場合、ＢＩＭモデルを変更可能であると判定する。一方、統合モデリング部１０２ｃは、対象のＢＩＭモデルに含まれる属性情報が変更不可モードを示す場合、ＢＩＭモデルを変更不可であると判定する。そして、統合モデリング部１０２ｃは、ＢＩＭモデルを変更可能である場合、建築物に対して設定された所定条件（例えば、設置不可領域の位置、建築物の強度等の設計基準等）下で、ＢＩＭモデルを変更して、統合ＢＩＭモデルを作成する。
【００３５】
本実施形態において、統合モデリング部１０２ｃは、ＢＩＭパーツとＢＩＭモデルの両方に含まれる属性情報が変更許可モードを示す場合、ＢＩＭパーツとＢＩＭモデルの両方を所定条件下で変更して、統合ＢＩＭモデルを作成してもよい。
【００３６】
また、エラー出力部１０２ｄは、統合モデリング部１０２ｃが、ＢＩＭパーツが設置予定領域内に納まらないと判定し、かつ、ＢＩＭパーツおよびＢＩＭモデルを変更できないと判定した場合に、エラー情報を出力するエラー出力手段である。具体的には、エラー出力部１０２ｄは、統合モデリング部１０２ｃが昇降機のＢＩＭパーツを設置するＢＩＭモデル内の設置予定位置にて当該昇降機のＢＩＭパーツを組み込めない場合、当該状況を利用者に通知するエラー情報を出力する。エラー情報は、文字データであってもよいし、音声データであってもよい。更に、エラー出力部１０２ｄは、統合モデリング部１０２ｃがＢＩＭモデル内の設置予定領域に昇降機のＢＩＭパーツを設置可能な条件を示すガイド情報をエラー情報として出力してもよい。ガイド情報は、昇降機のＢＩＭパーツの寸法を示す情報であってもよいし、昇降機の構成する必要な部材に対応するＢＩＭパーツのユニットの寸法および／または位置を示す情報であってもよい。
【００３７】
また、画面生成部１０２ｅは、統合モデリング部１０２ｃにより作成された統合ＢＩＭモデルを含むレイアウト画面を生成する画面生成手段である。ここで、画面生成部１０２ｅは、統合ＢＩＭモデルに組み込まれた昇降機のＢＩＭパーツのパーツ情報、および／または、建築物のＢＩＭモデルの構造情報を含むレイアウト画面を生成してもよい。
【００３８】
また、画面表示部１０２ｆは、画面生成部１０２ｆにより生成されたレイアウト画面を表示部１１４に表示させる画面表示手段である。
【００３９】
また、動作解析部１０２ｇは、画面表示部１０２ｆにより表示されたレイアウト画面上で昇降機のＢＩＭパーツの動作をシミュレーションする動作解析手段である。具体的には、動作解析部１０２ｇは、昇降機のＢＩＭパーツに含まれるパーツ情報が示すＢＩＭパーツの動作パラメータに基づいて昇降機のＢＩＭパーツの動作をシミュレーションする。
【００４０】
以上で、第１の実施形態におけるＢＩＭシステムの構成の一例の説明を終える。
【００４１】
［第１の実施形態におけるＢＩＭシステムの処理］
次に、このように構成された第１の実施形態におけるＢＩＭシステムの処理の一例について、以下に図３乃至図１３を参照して詳細に説明する。図３は、第１の実施形態におけるＢＩＭシステムの処理の一例を示すフローチャートである。
【００４２】
図３に示すように、端末装置１００の作成条件送信部１０２ａは、利用者により入力される作成条件をサーバ装置２００へ送信する（ステップＳＡ−１）。
【００４３】
そして、サーバ装置２００の作成条件受信部２０２ａは、ステップＳＡ−１にて作成条件送信部１０２ａの処理により送信される作成条件を受信する（ステップＳＡ−２）。
【００４４】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。例えば、昇降機モデリング部２０２ｂは、図４に示すようなエレベータのＢＩＭパーツを作成する。ここで、図４は、昇降機のＢＩＭパーツの一例を示す図である。図４では、エレベータのＢＩＭパーツが示されている。図４には、昇降路、乗りかご、ガイドレール等のユニットから構成されるＢＩＭパーツが例示されている。ここで、ステップＳＡ−３において、昇降機モデリング部２０２ｂは、作成条件を満たす複数の昇降機のＢＩＭパーツを作成してもよい。
【００４５】
そして、サーバ装置２００の情報提供部２０２ｃは、ステップＳＡ−３にて昇降機モデリング部２０２ｂの処理により作成された昇降機のＢＩＭパーツを端末装置１００へ送信する（ステップＳＡ−４）。
【００４６】
そして、端末装置１００の制御部１０２は、ステップＳＡ−４にて情報提供部２０２ｃの処理により送信された昇降機のＢＩＭパーツを受信する（ステップＳＡ−５）。
【００４７】
そして、端末装置１００の操作画面表示部１０２ｂは、ステップＳＡ−５にて制御部１０２の処理により受信された単数または複数の昇降機のＢＩＭパーツを、ＢＩＭモデルデータベース１０６ａに記憶されたＢＩＭモデル内における当該ＢＩＭパーツの設置予定領域へ設置させる利用者の設置操作を検出する操作画面を、表示部１１４に表示させる（ステップＳＡ−６）。例えば、操作画面表示部１０２ｆは、図５または図６のような操作画面を表示部４１４に表示させる。
【００４８】
ここで、図５および図６を参照して、本実施形態における操作画面の一例について説明する。図５および図６は、操作画面の一例を示す図である。図５の操作画面では、画面左側に建築物のＢＩＭモデルと、画面右側に当該ＢＩＭモデルの設置予定領域に設置させる昇降機のＢＩＭパーツが２台、３Ｄ表示されている。なお、図５において、ＢＩＭパーツは、利用者の所定の操作に応じて移動可能である。また、図５において、２台のＢＩＭパーツは、寸法が異なる。２台のＢＩＭパーツのうち左側のＢＩＭパーツ（１）に比べ、右側のＢＩＭパーツ（２）は大きい寸法で設計されている。図６の操作画面は、図５に示した建築物のＢＩＭモデルの１階部分に対応するフロアを２Ｄ表示したものである。図６において、画面左側のＢＩＭモデル内には、当該ＢＩＭモデルを構成する各ユニットが表示されている。具体的には、図６において、ＢＩＭモデル内の左側に２つの部屋が配置され、通路を挟んで、中央から右側に４つの部屋が配置され、右端と下側部分に通路が配置されている。また、図６において、画面左下には、昇降機のＢＩＭパーツの設置予定領域が表示され、画面右上には、非常階段があるため設置不可領域が表示されている。以下、２Ｄ表示した図６に示す操作画面を例に説明するが、３Ｄ表示した図５に示す操作画面においても同様の処理を行うことができる。
【００４９】
図３に戻り、端末装置１００の制御部１０２は、ステップＳＡ−６にて操作画面表示部１０２ｂの処理により表示された操作画面上で、ＢＩＭモデル内における当該ＢＩＭパーツの設置予定領域へ設置させる利用者の設置操作を検出したか否かを判定する（ステップＳＡ−７）。ここで、利用者の設置操作は、例えば、マウス等の入力部１１８を介して検出される、ＢＩＭパーツをドラッグし、ＢＩＭモデル上の設置予定領域へドロップする操作である。例えば、制御部１０２は、図７の矢印（ｉ）に示すように、ＢＩＭパーツをドラッグし、ＢＩＭモデル上の設置予定領域へドロップする操作を検出したか否かを判定する。
【００５０】
ここで、図７を参照して、本実施形態における操作画面を介して検出される利用者の設置操作の一例について説明する。図７に示す操作画面は、図６に示した操作画面と同様である。図７は、利用者が、画面右側に配置された２台のＢＩＭパーツのうち上側のＢＩＭパーツ（１）をドラッグして、画面左下のＢＩＭモデル上の設置予定領域へドロップする設置操作を示している（矢印（ｉ）を参照）。
【００５１】
再び図３に戻り、端末装置１００の統合モデリング部１０２ｃは、ステップＳＡ−７にて制御部１０２の処理により利用者の設置操作を検出したと判定された場合（ステップＳＡ−７：Ｙｅｓ）、検出された利用者の設置操作に応じて移動されたＢＩＭパーツを、ＢＩＭモデル内の設置予定領域に設置できるか否かを判定する（ステップＳＡ−８）。具体的には、ステップＳＡ−８において、統合モデリング部１０２ｃは、操作画面を介して設置操作が検出されると、ＢＩＭモデルに含まれる属性情報が示す対象の設置予定領域の寸法と、ＢＩＭパーツに含まれる属性情報が示す対象のＢＩＭパーツの寸法とを比較して、設置予定領域内にＢＩＭパーツが納まるか否かを判定する。より具体的には、統合モデリング部１０２ｃは、ＢＩＭパーツの寸法が設置予定領域の寸法未満である場合、設置予定領域内にＢＩＭパーツが納まると判定する。一方、統合モデリング部１０２ｃは、ＢＩＭパーツの寸法が設置予定領域の寸法より大きい場合、設置予定領域内にＢＩＭパーツが納まらないと判定する。
【００５２】
一方、端末装置１００の統合モデリング部１０２ｃは、ステップＳＡ−７にて制御部１０２の処理により利用者の設置操作を検出しなかったと判定された場合（ステップＳＡ−７：Ｎｏ）、ステップＳＡ−７の処理を利用者の設置操作を検出したと判定されるまで繰り返す。
【００５３】
そして、端末装置１００の統合モデリング部１０２ｃは、ステップＳＡ−８にてＢＩＭパーツをＢＩＭモデル内の設置予定領域に設置できると判定した場合（ステップＳＡ−８：Ｙｅｓ）、検出した利用者の設置操作に応じて移動されたＢＩＭパーツを設置予定領域に設置した統合ＢＩＭモデルを作成する（ステップＳＡ−９）。
【００５４】
例えば、図７に示すように、ＢＩＭモデルに含まれる構造情報が示す設置予定領域の寸法より、ＢＩＭパーツ（１）に含まれるパーツ情報が示す昇降機の寸法が小さい場合、統合モデリング部１０２ｃは、ＢＩＭパーツをＢＩＭモデル内の設置予定領域に設置できると判定し、図８に示すような統合ＢＩＭモデルを作成する。
【００５５】
ここで、図８は、ＢＩＭモデルにＢＩＭパーツを組み込んだ統合ＢＩＭモデルを含むレイアウト画面の一例を示す図である。このレイアウト画面は、後述のステップＳＡ−２０の処理により作成される画面である。図８では、建築物の完成時におけるエレベータの設置状態を示す統合ＢＩＭモデルの一部が示されている。
【００５６】
一方、端末装置１００の統合モデリング部１０２ｃは、ステップＳＡ−８にてＢＩＭパーツをＢＩＭモデル内の設置予定領域に設置できない判定した場合（ステップＳＡ−８：Ｎｏ）、具体的には、統合モデリング部１０２ｃは、サーバ装置２００により作成され、送信された複数のＢＩＭパーツに、当該設置予定領域に設置可能な他のＢＩＭパーツがあるか否かを判定する（ステップＳＡ−１０）。
【００５７】
そして、端末装置１００の統合モデリング部１０２ｃは、ステップＳＡ−１０にて設置可能な他のＢＩＭパーツがあると判定した場合（ステップＳＡ−１０：Ｙｅｓ）、設置予定領域内に納められるＢＩＭパーツを選択する（ステップＳＡ−１１）。その後、統合モデリング部１０２ｃは、ステップＳＡ−９の処理へ進み、ステップＳＡ−１１にて選択した当該ＢＩＭパーツを設置予定領域に設置した統合ＢＩＭモデルを作成する。
【００５８】
例えば、図９の上図に示すように、利用者が、画面右側に配置された２台のＢＩＭパーツのうち下側のＢＩＭパーツ（２）をドラッグして、画面左下のＢＩＭモデル上の設置予定領域へドロップする設置操作を行った場合（矢印（ｉｉ）を参照）、図９の下図に示すように、統合モデリング部１０２ｃは、当該下側のＢＩＭパーツ（２）の代わりに、画面右側に配置された２台のＢＩＭパーツのうち上側のＢＩＭパーツ（１）を自動選択して、当該上側のＢＩＭパーツ（１）を設置予定領域に設置した統合ＢＩＭモデルを作成する。この場合、図示しないが、制御部１０２は、操作画面上に利用者が選択した下側のＢＩＭパーツ（２）の寸法が設置予定領域の寸法に合わないため、上側のＢＩＭパーツ（１）を代わりに設置予定領域に設置した旨を示すメッセージ等を表示してもよい。
【００５９】
再び図３に戻り、ステップＳＡ−１０の処理から端末装置１００の処理の説明を続ける。端末装置１００の統合モデリング部１０２ｃは、ステップＳＡ−１０にて設置可能な他のＢＩＭパーツがないと判定した場合（ステップＳＡ−１０：Ｎｏ）、対象のＢＩＭパーツに含まれる変更許可モードまたは変更不可モードを示す属性情報を確認することで、ＢＩＭパーツを変更可能か否かを判定する（ステップＳＡ−１２）。つまり、ステップＳＡ−１２において、統合モデリング部１０２ｃは、対象のＢＩＭパーツに含まれる属性情報が変更許可モードを示す場合、ＢＩＭパーツを変更可能であると判定する。一方、統合モデリング部１０２ｃは、対象のＢＩＭパーツに含まれる属性情報が変更不可モードを示す場合、ＢＩＭパーツを変更不可であると判定する。
【００６０】
そして、端末装置１００の統合モデリング部１０２ｃは、ステップＳＡ−１２にてＢＩＭパーツを変更可能であると判定した場合（ステップＳＡ−１２：Ｙｅｓ）、更に、対象のＢＩＭモデルに含まれる変更許可モードまたは変更不可モードを示す属性情報を確認することで、ＢＩＭモデルを変更可能か否かを判定する（ステップＳＡ−１３）。つまり、ステップＳＡ−１３において、統合モデリング部１０２ｃは、対象のＢＩＭモデルに含まれる属性情報が変更許可モードを示す場合、ＢＩＭモデルを変更可能であると判定する。一方、統合モデリング部１０２ｃは、対象のＢＩＭモデルに含まれる属性情報が変更不可モードを示す場合、ＢＩＭモデルを変更不可であると判定する。
【００６１】
そして、端末装置１００の統合モデリング部１０２ｃは、ステップＳＡ−１３にてＢＩＭモデルを変更可能であると判定した場合（ステップＳＡ−１３：Ｙｅｓ）、すなわち、ＢＩＭパーツとＢＩＭモデルの両方に含まれる属性情報が変更許可モードを示す場合、ＢＩＭパーツとＢＩＭモデルの両方を所定条件下で変更して、統合ＢＩＭモデルを作成する（ステップＳＡ−１４）。
【００６２】
例えば、図１０の上図に示すように、設置予定領域にＢＩＭパーツ（１）が納まっている状態で、更に利用者が、画面右側に配置された２台のＢＩＭパーツのうち下側のＢＩＭパーツ（２）をドラッグして、画面左下のＢＩＭモデル上の設置予定領域へドロップする設置操作を行った場合（矢印（ｉｉｉ）を参照）、図１０の下図に示すように、統合モデリング部１０２ｃは、ＢＩＭパーツ（２）の寸法をＢＩＭパーツ（１）の寸法に合わせるよう変更し、かつ、これら２台のＢＩＭパーツ（１）および（２）を設置できるよう設置予定領域を広げ、同時に、ＢＩＭモデルを構成する部屋の寸法を縮める（図１０の下図のＢＩＭモデル・ＢＩＭパーツ変更箇所を参照）。このようにして、統合モデリング部１０２ｃは、２台のＢＩＭパーツ（１）および（２）を設置予定領域に設置した統合ＢＩＭモデルを作成する。この場合、統合モデリング部１０２ｃは、昇降機に対して設定された所定条件（例えば、作成条件、昇降機の設計基準等）下で、設置予定領域内に納められるようＢＩＭパーツを変更し、かつ、建築物に対して設定された所定条件（例えば、設置不可領域の位置、建築物の強度等の設計基準等）下で、ＢＩＭモデルを変更する。本実施形態において、統合モデリング部１０２ｃは、ＢＩＭモデルを変更する際、ＢＩＭモデルデータベース１０６ａに記憶されたＢＩＭモデルの各種属性情報を参照する。また、統合モデリング部１０２ｃは、ＢＩＭパーツを変更する際、サーバ装置１００から送信された複数のＢＩＭパーツの全てのＢＩＭパーツに含まれる各種属性情報を参照する。なお、図示しないが、制御部１０２は、操作画面上に変更した部屋、設置予定領域、ＢＩＭパーツ（２）の寸法を示すメッセージ等を表示してもよい。
【００６３】
再び図３に戻り、ステップＳＡ−１３の処理から端末装置１００の処理の説明を続ける。端末装置１００の統合モデリング部１０２ｃは、ステップＳＡ−１３にてＢＩＭモデルを変更可能でないと判定した場合（ステップＳＡ−１３：Ｎｏ）、すなわち、ＢＩＭパーツに含まれる属性情報が変更許可モードを示すが、ＢＩＭモデルに含まれる属性情報が変更不可モードを示す場合、ＢＩＭパーツを所定条件下で変更して、統合ＢＩＭモデルを作成する（ステップＳＡ−１５）。
【００６４】
例えば、図１１の上図に示すように、利用者が、画面右側に配置された２台のＢＩＭパーツのうち下側のＢＩＭパーツ（２）をドラッグして、画面左下のＢＩＭモデル上の設置予定領域へドロップする設置操作を行った場合（矢印（ｉｖ）を参照）、図１１の下図に示すように、統合モデリング部１０２ｃは、ＢＩＭパーツ（２）の寸法を設置予定領域の寸法に合わせるよう変更する（図１１の下図のＢＩＭパーツ変更箇所を参照）。なお、図示しないが、制御部１０２は、操作画面上に変更したＢＩＭパーツ（２）の寸法を示すメッセージ等を表示してもよい。
【００６５】
再び図３に戻り、ステップＳＡ−１２の処理から端末装置１００の処理の説明を続ける。端末装置１００の統合モデリング部１０２ｃは、ステップＳＡ−１２にてＢＩＭパーツを変更可能でないと判定した場合（ステップＳＡ−１２：Ｎｏ）、更に、対象のＢＩＭモデルに含まれる変更許可モードまたは変更不可モードを示す属性情報を確認することで、ＢＩＭモデルを変更可能か否かを判定する（ステップＳＡ−１６）。
【００６６】
そして、端末装置１００の統合モデリング部１０２ｃは、ステップＳＡ−１６にてＢＩＭモデルを変更可能であると判定した場合（ステップＳＡ−１６：Ｙｅｓ）、すなわち、ＢＩＭパーツに含まれる属性情報が変更不可モードを示すが、ＢＩＭモデルに含まれる属性情報が変更許可モードを示す場合、ＢＩＭモデルを所定条件下で変更して、統合ＢＩＭモデルを作成する（ステップＳＡ−１７）。
【００６７】
例えば、図１２の上図に示すように、利用者が、画面右側に配置された２台のＢＩＭパーツのうち下側のＢＩＭパーツ（２）をドラッグして、画面左下のＢＩＭモデル上の設置予定領域へドロップする設置操作を行った場合（矢印（ｖ）を参照）、図１２の下図に示すように、統合モデリング部１０２ｃは、ＢＩＭパーツ（２）を設置できるよう設置予定領域を広げ、同時に、ＢＩＭモデルを構成する部屋の寸法を縮める（図１２の下図のＢＩＭモデル変更箇所を参照）。なお、図示しないが、制御部１０２は、操作画面上に変更した部屋、設置予定領域の寸法を示すメッセージ等を表示してもよい。
【００６８】
再び図３に戻り、ステップＳＡ−１６の処理から端末装置１００の処理の説明を続ける。端末装置１００のエラー出力部１０２ｄは、ステップＳＡ−１６にて統合モデリング部１０２ｃの処理によりＢＩＭモデルを変更可能でないと判定された場合（ステップＳＡ−１６：Ｎｏ）、すなわち、ＢＩＭパーツとＢＩＭモデルの両方に含まれる属性情報が変更不可モードを示す場合、エラー情報を出力する（ステップＳＡ−１８）。ここで、ステップＳＡ−１８において、エラー出力部１０２ｄは、統合モデリング部１０２ｃがＢＩＭモデル内の設置予定領域に昇降機のＢＩＭパーツを設置可能な条件を示すガイド情報をエラー情報として出力してもよい。
【００６９】
例えば、図１３に示すように、利用者が、画面右側に配置されたＢＩＭパーツをドラッグして、画面左下のＢＩＭモデル上の設置予定領域へドロップする設置操作を行った場合（矢印（ｖｉ）を参照）、エラー出力部１０２ｄは、寸法が大きいＢＩＭパーツがＢＩＭモデル上の設置予定領域に設置できない旨を示すエラー情報として「設置できません。」とのメッセージを操作画面上に表示する（図１３の画面下側参照）。更に、エラー出力部１０２ｄは、ＢＩＭパーツの寸法を変更することで、ＢＩＭモデル上の設置予定領域に設置できる旨を示すガイド情報「エレベータの寸法を「○×○×○ｍ」に変更下さい。」とのメッセージを操作画面上に表示する（図１３の画面下側参照）。その後、ステップＳＡ−１９の処理へ進む。
【００７０】
そして、端末装置１００の制御部１０２は、ステップＳＡ−１８にてエラー出力部１０ｄの処理によりエラーが出力された回数を示すエラー出力回数が、所定回数を超えるか否かを判定する（ステップＳＡ−１９）。
【００７１】
そして、端末装置１００の制御部１０２は、ステップＳＡ−１９にてエラー出力回数が所定回数を超えないと判定した場合（ステップＳＡ−１９：Ｎｏ）、ステップＳＡ−７の処理に戻り処理を繰り返す。一方、制御部１０２は、ステップＳＡ−１９にてエラー出力回数が所定回数を超えると判定した場合（ステップＳＡ−１９：Ｙｅｓ）、本処理を終了する。その後、制御部１０２は、ステップＳＡ−１の処理から作成条件の再設定を行い、再度ＢＩＭパーツを再作成する。
【００７２】
そして、端末装置１００の画面生成部１０２ｅは、上述したステップＳＡ−９、ステップＳＡ−１４、ステップＳＡ−１５、または、ステップＳＡ−１７にて統合モデリング部１０２ｃの処理により作成された統合ＢＩＭモデルを含むレイアウト画面を生成する（ステップＳＡ−２０）。ここで、ステップＳＡ−２０において、画面生成部１０２ｅは、図８に示すようなレイアウト画面を生成する。また、ステップＳＡ−２０において、画面生成部１０２ｅは、統合ＢＩＭモデルに組み込まれた昇降機のＢＩＭパーツのパーツ情報、および／または、建築物のＢＩＭモデルの構造情報を含むレイアウト画面を生成してもよい。例えば、画面生成部１０２ｅは、パーツ情報および構造情報に基づいて、昇降機が設置された設置予定位置における建築物との昇降機との空間関係を明示する情報を含むレイアウト画面を生成する。
【００７３】
そして、端末装置１００の画面表示部１０２ｆは、ステップＳＡ−２０にて画面生成部１０２ｅの処理により生成されたレイアウト画面を表示部１１４に表示させる（ステップＳＡ−２１）。例えば、画面表示部１０２ｆは、図８に示すようなレイアウト画面を表示部１１４に表示させる。
【００７４】
なお、ステップＳＡ−２１にて画面表示部１０２ｆの処理によりレイアウト画面を表示した後、制御部１０２は、画面表示部１０２ｆの処理により表示されたレイアウト画面上でＢＩＭパーツを変更してもよい。この場合、図示しないが、上述のステップＳＡ−２０の処理に戻り、画面生成部１０２ｅは、制御部１０２の処理により変更された昇降機のＢＩＭパーツを含むレイアウト画面を生成し、その後、ステップＳＡ−２１の処理へ進む。
【００７５】
そして、端末装置１００の動作解析部１０２ｇは、ステップＳＡ−２１にて画面表示部１０２ｆの処理により表示されたレイアウト画面上で昇降機のＢＩＭパーツの動作をシミュレーションする（ステップＳＡ−２２）。具体的には、ステップＳＡ−２２において、動作解析部１０２ｇは、昇降機のＢＩＭパーツに含まれるパーツ情報が示すＢＩＭパーツの動作パラメータに基づいて昇降機のＢＩＭパーツの動作をシミュレーションする。例えば、動作解析部１０２ｇは、図８に示すようなレイアウト画面内のエレベータのＢＩＭパーツを、動作パラメータに従って統合ＢＩＭモデル内で動作させる。一例として、動作解析部１０２ｇは、レイアウト画面上の統合ＢＩＭモデルにおいて、エレベータの扉を開閉したり、乗りかごを昇降させる等の表示を行うことで、ＢＩＭパーツの動作をシミュレーションする。
【００７６】
以上で、第１の実施形態におけるＢＩＭシステムの処理の一例の説明を終える。
【００７７】
このように、本実施形態によれば、サーバ装置２００から送信されたＢＩＭパーツを、記憶部１０６に記憶されたＢＩＭモデル内における当該ＢＩＭパーツの設置予定領域へ設置させる利用者の設置操作を検出する操作画面を、表示部１１４に表示させ、操作画面を介して検出される設置操作に応じて、ＢＩＭパーツを設置予定領域に設置した統合ＢＩＭモデルを作成する。これにより、利用者は、操作画面上で例えばマウス等の入力部１１８を介して所望のＢＩＭパーツをＢＩＭモデルの設置予定領域へドラッグアンドドロップすることで、ＢＩＭパーツの設置予定領域の寸法内に納まる最適な昇降機の仕様、配置、寸法を簡易な操作で確認することができる。また、所望のＢＩＭパーツの寸法が設置予定領域の寸法内に納まる大きさでない場合であっても、設置予定領域に設置可能な対象のＢＩＭパーツとは別のＢＩＭパーツを自動選択でき、あるいは、対象のＢＩＭパーツを設置予定領域の寸法に合うよう自動調整できる。更に、所望のＢＩＭパーツの寸法が設置予定領域の寸法内に納まる大きさでない場合であっても、端末装置１００が建築物のＢＩＭモデルを構成する各ユニットの寸法等を自動調整することで、昇降機のＢＩＭパーツをＢＩＭモデル内に組み込んだ状態を確認することができる。この際、端末装置１００は建築物の設計基準等を考慮した上で、ＢＩＭモデルを変更可能か否かを判定するので、利用者が建築物の設計基準を逸脱した設計変更をすることを防ぐことができる。さらに、端末装置１００は、利用者に対しどのように設計変更を行えば、ＢＩＭパーツを設置予定領域に設置可能を示す情報を表示するので、利用者の設計変更作業の効率性を向上させることができる。
【００７８】
［第２の実施形態］
続いて、第２の実施形態について、図１４および図１５を参照して以下に説明する。ここで、図１４は、第２の実施形態におけるＢＩＭシステムの構成の一例を示すブロック図であり、該構成のうち本実施形態に関係する部分を概念的に示している。ここで、第２の実施形態におけるＢＩＭシステムは、スタンドアロン型に構成され単独で処理を行うＢＩＭ装置４００により実現される。
【００７９】
なお、第２の実施形態においては、全ての機能をＢＩＭ装置４００に集約し、当該ＢＩＭ装置４００は、利用者により入力される作成条件に対応するＢＩＭパーツを記憶部４０６に記憶されたパーツ情報を用いて作成し、作成されたＢＩＭパーツをＢＩＭモデル内におけるＢＩＭパーツの設置予定領域へ設置させる利用者の設置操作を検出する操作画面を表示部４１４に表示させる等の機能を有する。また、ＢＩＭ装置４００は、操作画面を介して検出される設置操作に応じてＢＩＭパーツを設置予定領域に設置した統合ＢＩＭモデルを作成し、作成された統合ＢＩＭモデルを含むレイアウト画面を生成し、生成されたレイアウト画面を表示部４１４に表示させる等の機能を有する。このように、第２の実施形態は、ＢＩＭ装置４００がスタンドアロン型に構成され単独で処理を行う点がその他の実施形態と異なる。
【００８０】
［第２の実施形態におけるＢＩＭシステムの構成］
まず、第２の実施形態におけるＢＩＭシステムの構成の一例について、図１４を参照して以下に説明する。
【００８１】
図１４に示すように、第２の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【００８２】
図１４において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａおよびＢＩＭモデルデータベース４０６ｂ等）についても、サーバ装置２００ではなくＢＩＭ装置４００に備えられている点を除き、各機能が第１の実施形態と同様であるため説明を省略する。
【００８３】
また、制御部４０２の各部については、本実施形態のＢＩＭ装置４００がスタンドアロン型であり、制御部４０２が各送信部を備えていない点を除き、各機能は第１の実施形態と基本的に同様である。
【００８４】
また、図１４において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、操作画面表示部４０２ｃ、統合モデリング部４０２ｄ、エラー出力部４０２ｅ、画面生成部４０２ｆ、画面表示部４０２ｇ、および、動作解析部４０２ｈを備える。
【００８５】
このうち、作成条件設定部４０２ａは、利用者により入力される作成条件を設定する作成条件設定手段である。ここで、作成条件は、利用者が所望する昇降機の仕様を示す条件である。つまり、作成条件は、建築物のＢＩＭモデル内に設置される昇降機のＢＩＭパーツを作成するための条件を指定する。また、作成条件は、利用者により入力部４１８を介して入力されたものであってもよいし、予め作成条件が記憶された外部記憶装置（図示せず）から読み込まれたものであってもよい。
【００８６】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。ここで、昇降機モデリング部４０２ｂは、作成した昇降機のＢＩＭパーツを記憶部４０６に格納して、ＢＩＭパーツデータベース（図示せず）を構築してもよい。
【００８７】
また、操作画面表示部４０２ｃは、昇降機モデリング部４０２ｂにより作成されたＢＩＭパーツを、ＢＩＭモデルデータベース４０６ｂに記憶されたＢＩＭモデル内における当該ＢＩＭパーツの設置予定領域へ設置させる利用者の設置操作を検出する操作画面を、表示部４１４に表示させる操作画面表示手段である。操作画面は、ＢＩＭパーツおよびＢＩＭモデルを少なくとも含む画面であり、当該操作画面上でＢＩＭパーツは移動可能である。ここで、操作画面は、ＢＩＭモデル内におけるＢＩＭパーツの設置不可領域を含んでいてもよい。設置不可領域は、例えば、ＢＩＭモデル内の非常階段、避難経路、ガス管、水道管、火災報知機、スプリンクラー、梁等の付近に昇降機を設置できない旨を示す領域である。また、本実施形態において、利用者の設置操作は、例えば、マウス等の入力部４１８を介して検出される、ＢＩＭパーツをドラッグし、ＢＩＭモデル上の設置予定領域へドロップする操作である。また、表示部４１４がタッチパネルで構成される場合、利用者の設置操作は、例えば、利用者の指がＢＩＭパーツをタッチして選択し、そのままスワイプさせてＢＩＭモデル上の設置予定領域でタッチを離す操作であってもよい。
【００８８】
本実施形態において、統合モデリング部４０２ｄは、操作画面を介して設置操作が検出されると、設置予定領域内にＢＩＭパーツが納まるか否かを判定し、当該ＢＩＭパーツが設置予定領域内に納まると判定した場合、統合ＢＩＭモデルを作成する。具体的には、統合モデリング部４０２ｄは、操作画面を介して設置操作が検出されると、ＢＩＭモデルに含まれる属性情報が示す対象の設置予定領域の寸法と、ＢＩＭパーツに含まれる属性情報が示す対象のＢＩＭパーツの寸法とを比較して、設置予定領域内にＢＩＭパーツが納まるか否かを判定する。より具体的には、統合モデリング部４０２ｄは、ＢＩＭパーツの寸法が設置予定領域の寸法未満である場合、設置予定領域内にＢＩＭパーツが納まると判定する。一方、統合モデリング部４０２ｄは、ＢＩＭパーツの寸法が設置予定領域の寸法より大きい場合、設置予定領域内にＢＩＭパーツが納まらないと判定する。
【００８９】
ここで、統合モデリング部４０２ｄは、ＢＩＭパーツが設置予定領域内に納まらないと判定した場合、昇降機モデリング部４０２ｂにより作成された複数のＢＩＭパーツから、設置予定領域内に納められるＢＩＭパーツを選択して、選択した当該ＢＩＭパーツを設置予定領域に設置した統合ＢＩＭモデルを作成する。あるいは、統合モデリング部４０２ｄは、ＢＩＭパーツが設置予定領域内に納まらないと判定した場合、設置予定領域内に納められるよう当該ＢＩＭパーツの寸法を調整して、寸法を調整した当該ＢＩＭパーツを設置予定領域に設置した統合ＢＩＭモデルを作成する。
【００９０】
なお、統合モデリング部４０２ｄは、昇降機のＢＩＭパーツを変更する前に、対象のＢＩＭパーツに含まれる変更許可モードまたは変更不可モードを示す属性情報を確認することで、ＢＩＭパーツを変更可能か否かを判定している。つまり、統合モデリング部４０２ｄは、対象のＢＩＭパーツに含まれる属性情報が変更許可モードを示す場合、ＢＩＭパーツを変更可能であると判定する。一方、統合モデリング部４０２ｄは、対象のＢＩＭパーツに含まれる属性情報が変更不可モードを示す場合、ＢＩＭパーツを変更不可であると判定する。そして、統合モデリング部４０２ｄは、ＢＩＭパーツを変更可能である場合、昇降機に対して設定された所定条件（例えば、作成条件、昇降機の設計基準等）下で、設置予定領域内に納められるようＢＩＭパーツを変更して、統合ＢＩＭモデルを作成する。
【００９１】
また、統合モデリング部４０２ｄは、ＢＩＭパーツが設置予定領域内に納まらないと判定した場合、ＢＩＭモデルを変更して、統合ＢＩＭモデルを作成してもよい。具体的には、統合モデリング部４０２ｄは、ＢＩＭモデル内の設置予定領域および当該ＢＩＭモデルを構成する構造ユニット（例えば、部屋、通路、階段等）の寸法および／または位置を調整して、統合ＢＩＭモデルを作成する。ここで、統合モデリング部４０２ｄは設置予定領域の寸法および／または位置を調整してもよい。
【００９２】
なお、統合モデリング部４０２ｄは、建築物のＢＩＭモデルを変更する前に、対象のＢＩＭモデルに含まれる変更許可モードまたは変更不可モードを示す属性情報を確認することで、ＢＩＭモデルを変更可能か否かを判定している。つまり、統合モデリング部４０２ｄは、対象のＢＩＭモデルに含まれる属性情報が変更許可モードを示す場合、ＢＩＭモデルを変更可能であると判定する。一方、統合モデリング部４０２ｄは、対象のＢＩＭモデルに含まれる属性情報が変更不可モードを示す場合、ＢＩＭモデルを変更不可であると判定する。そして、統合モデリング部４０２ｄは、ＢＩＭモデルを変更可能である場合、建築物に対して設定された所定条件（例えば、設置不可領域の位置、建築物の強度等の設計基準等）下で、ＢＩＭモデルを変更して、統合ＢＩＭモデルを作成する。
【００９３】
また、エラー出力部４０２ｅは、統合モデリング部４０２ｄが、ＢＩＭパーツが設置予定領域内に納まらないと判定し、かつ、ＢＩＭパーツおよびＢＩＭモデルを変更できないと判定した場合に、エラー情報を出力するエラー出力手段である。具体的には、エラー出力部４０２ｅは、統合モデリング部４０２ｄが昇降機のＢＩＭパーツを設置するＢＩＭモデル内の設置予定位置にて当該昇降機のＢＩＭパーツを組み込めない場合、当該状況を利用者に通知するエラー情報を出力する。エラー情報は、文字データであってもよいし、音声データであってもよい。更に、エラー出力部４０２ｅは、統合モデリング部４０２ｄがＢＩＭモデル内の設置予定領域に昇降機のＢＩＭパーツを設置可能な条件を示すガイド情報をエラー情報として出力してもよい。ガイド情報は、昇降機のＢＩＭパーツの寸法を示す情報であってもよいし、昇降機の構成する必要な部材に対応するＢＩＭパーツのユニットの寸法および／または位置を示す情報であってもよい。
【００９４】
また、画面生成部４０２ｆは、統合モデリング部４０２ｄにより作成された統合ＢＩＭモデルを含むレイアウト画面を生成する画面生成手段である。ここで、画面生成部４０２ｆは、統合ＢＩＭモデルに組み込まれた昇降機のＢＩＭパーツのパーツ情報、および／または、建築物のＢＩＭモデルの構造情報を含むレイアウト画面を生成してもよい。
【００９５】
また、画面表示部４０２ｇは、画面生成部４０２ｆにより生成されたレイアウト画面を表示部４１４に表示させる画面表示手段である。
【００９６】
また、動作解析部４０２ｈは、画面表示部４０２ｇにより表示されたレイアウト画面上で昇降機のＢＩＭパーツの動作をシミュレーションする動作解析手段である。具体的には、動作解析部４０２ｈは、昇降機のＢＩＭパーツに含まれるパーツ情報が示すＢＩＭパーツの動作パラメータに基づいて昇降機のＢＩＭパーツの動作をシミュレーションする。
【００９７】
以上で、第２の実施形態におけるＢＩＭシステムの構成の一例の説明を終える。
【００９８】
［第２の実施形態におけるＢＩＭシステムの処理］
次に、このように構成された第２の実施形態におけるＢＩＭシステムの処理の一例について、以下に図１５を参照して詳細に説明する。図１５は、第２の実施形態におけるＢＩＭシステムの処理の一例を示すフローチャートである。
【００９９】
図１５に示すように、まず、作成条件設定部４０２ａは、利用者により入力される作成条件を設定する（ステップＳＢ−１）。
【０１００】
そして、昇降機モデリング部４０２ｂは、ステップＳＢ−１にて作成条件設定部４０２ａの処理により設定された作成条件に対応する昇降機のＢＩＭパーツを、パーツ情報データベース４０６ａに記憶されたパーツ情報を用いて作成する（ステップＳＢ−２）。例えば、昇降機モデリング部４０２ｂは、上述の図４に示すようなエレベータのＢＩＭパーツを作成する。ここで、ステップＳＢ−２において、昇降機モデリング部４０２ｂは、作成条件を満たす複数の昇降機のＢＩＭパーツを作成してもよい。
【０１０１】
そして、操作画面表示部４０２ｃは、ステップＳＢ−２にて昇降機モデリング部４０２ｂの処理により作成された昇降機のＢＩＭパーツを、ＢＩＭモデルデータベース４０６ｂに記憶されたＢＩＭモデル内における当該ＢＩＭパーツの設置予定領域へ設置させる利用者の設置操作を検出する操作画面を、表示部４１４に表示させる（ステップＳＢ−３）。例えば、操作画面表示部４０２ｃは、上述の図５または図６のような操作画面を表示部４１４に表示させる。
【０１０２】
そして、制御部４０２は、ステップＳＢ−３にて操作画面表示部４０２ｃの処理により表示された操作画面上で、ＢＩＭモデル内における当該ＢＩＭパーツの設置予定領域へ設置させる利用者の設置操作を検出したか否かを判定する（ステップＳＢ−４）。ここで、利用者の設置操作は、例えば、マウス等の入力部４１８を介して検出される、ＢＩＭパーツをドラッグし、ＢＩＭモデル上の設置予定領域へドロップする操作である。例えば、制御部４０２は、上述の図７の矢印（ｉ）に示すように、ＢＩＭパーツをドラッグし、ＢＩＭモデル上の設置予定領域へドロップする操作を検出したか否かを判定する。
【０１０３】
そして、統合モデリング部４０２ｄは、ステップＳＢ−４にて制御部４０２の処理により利用者の設置操作を検出したと判定された場合（ステップＳＢ−４：Ｙｅｓ）、検出された利用者の設置操作に応じて移動されたＢＩＭパーツを、ＢＩＭモデル内の設置予定領域に設置できるか否かを判定する（ステップＳＢ−５）。一方、統合モデリング部４０２ｄは、ステップＳＢ−４にて制御部４０２の処理により利用者の設置操作を検出しなかったと判定された場合（ステップＳＢ−４：Ｎｏ）、ステップＳＢ−４の処理を利用者の設置操作を検出したと判定されるまで繰り返す。
【０１０４】
そして、統合モデリング部４０２ｄは、ステップＳＢ−５にてＢＩＭパーツをＢＩＭモデル内の設置予定領域に設置できると判定した場合（ステップＳＢ−５：Ｙｅｓ）、上述の図７に示すように検出した利用者の設置操作に応じて移動されたＢＩＭパーツを設置予定領域に設置した上述の図８に示すような統合ＢＩＭモデルを作成する（ステップＳＢ−６）。
【０１０５】
一方、統合モデリング部４０２ｄは、ステップＳＢ−５にてＢＩＭパーツをＢＩＭモデル内の設置予定領域に設置できない判定した場合（ステップＳＢ−５：Ｎｏ）、具体的には、統合モデリング部４０２ｄは、ステップＳＢ−２にて昇降機モデリング部４０２ｂの処理により作成された複数のＢＩＭパーツに、当該設置予定領域に設置可能な他のＢＩＭパーツがあるか否かを判定する（ステップＳＢ−７）。
【０１０６】
そして、統合モデリング部４０２ｄは、ステップＳＢ−７にて設置可能な他のＢＩＭパーツがあると判定した場合（ステップＳＢ−７：Ｙｅｓ）、上述の図９に示すように、設置予定領域内に納められるＢＩＭパーツを選択する（ステップＳＢ−８）。その後、統合モデリング部４０２ｄは、ステップＳＢ−６の処理へ進み、ステップＳＢ−８にて選択した当該ＢＩＭパーツを設置予定領域に設置した統合ＢＩＭモデルを作成する。
【０１０７】
再びステップＳＢ−７に戻り、統合モデリング部４０２ｄは、ステップＳＢ−７にて設置可能な他のＢＩＭパーツがないと判定した場合（ステップＳＢ−７：Ｎｏ）、対象のＢＩＭパーツに含まれる変更許可モードまたは変更不可モードを示す属性情報を確認することで、ＢＩＭパーツを変更可能か否かを判定する（ステップＳＢ−９）。
【０１０８】
そして、統合モデリング部４０２ｄは、ステップＳＢ−９にてＢＩＭパーツを変更可能であると判定した場合（ステップＳＢ−９：Ｙｅｓ）、更に、対象のＢＩＭモデルに含まれる変更許可モードまたは変更不可モードを示す属性情報を確認することで、ＢＩＭモデルを変更可能か否かを判定する（ステップＳＢ−１０）。
【０１０９】
そして、統合モデリング部４０２ｄは、ステップＳＢ−１０にてＢＩＭモデルを変更可能であると判定した場合（ステップＳＢ−１０：Ｙｅｓ）、すなわち、ＢＩＭパーツとＢＩＭモデルの両方に含まれる属性情報が変更許可モードを示す場合、上述の図１０に示すように、ＢＩＭパーツとＢＩＭモデルの両方を所定条件下で変更して、統合ＢＩＭモデルを作成する（ステップＳＢ−１１）。
【０１１０】
一方、統合モデリング部４０２ｄは、ステップＳＢ−１０にてＢＩＭモデルを変更可能でないと判定した場合（ステップＳＢ−１０：Ｎｏ）、すなわち、ＢＩＭパーツに含まれる属性情報が変更許可モードを示すが、ＢＩＭモデルに含まれる属性情報が変更不可モードを示す場合、上述の図１１に示すように、ＢＩＭパーツを所定条件下で変更して、統合ＢＩＭモデルを作成する（ステップＳＢ−１２）。
【０１１１】
再びステップＳＢ−９に戻り、統合モデリング部４０２ｄは、ステップＳＢ−９にてＢＩＭパーツを変更可能でないと判定した場合（ステップＳＢ−９：Ｎｏ）、更に、対象のＢＩＭモデルに含まれる変更許可モードまたは変更不可モードを示す属性情報を確認することで、ＢＩＭモデルを変更可能か否かを判定する（ステップＳＢ−１３）。
【０１１２】
そして、統合モデリング部４０２ｄは、ステップＳＢ−１３にてＢＩＭモデルを変更可能であると判定した場合（ステップＳＢ−１３：Ｙｅｓ）、すなわち、ＢＩＭパーツに含まれる属性情報が変更不可モードを示すが、ＢＩＭモデルに含まれる属性情報が変更許可モードを示す場合、上述の図１２に示すように、ＢＩＭモデルを所定条件下で変更して、統合ＢＩＭモデルを作成する（ステップＳＢ−１４）。
【０１１３】
ここで、エラー出力部４０２ｅは、ステップＳＢ−１３にて統合モデリング部４０２ｄの処理によりＢＩＭモデルを変更可能でないと判定された場合（ステップＳＢ−１３：Ｎｏ）、すなわち、ＢＩＭパーツとＢＩＭモデルの両方に含まれる属性情報が変更不可モードを示す場合、上述の図１３に示すように、エラー情報を出力する（ステップＳＢ−１５）。ここで、ステップＳＢ−１５において、エラー出力部４０２ｅは、上述の図１３に示すように、統合モデリング部４０２ｄがＢＩＭモデル内の設置予定領域に昇降機のＢＩＭパーツを設置可能な条件を示すガイド情報をエラー情報として出力してもよい。その後、ステップＳＢ−１６の処理へ進む。
【０１１４】
そして、制御部４０２は、ステップＳＢ−１５にてエラー出力部４０２ｅの処理によりエラーが出力された回数を示すエラー出力回数が、所定回数を超えるか否かを判定する（ステップＳＢ−１６）。
【０１１５】
そして、制御部４０２は、ステップＳＢ−１６にてエラー出力回数が所定回数を超えないと判定した場合（ステップＳＢ−１６：Ｎｏ）、ステップＳＢ−４の処理に戻り処理を繰り返す。一方、制御部４０２は、ステップＳＢ−１６にてエラー出力回数が所定回数を超えると判定した場合（ステップＳＢ−１６：Ｙｅｓ）、本処理を終了する。その後、制御部４０２は、ステップＳＢ−１の処理から作成条件の再設定を行い、再度ＢＩＭパーツを再作成する。
【０１１６】
そして、画面生成部４０２ｆは、上述したステップＳＢ−６、ステップＳＢ−１１、ステップＳＢ−１２、または、ステップＳＢ−１４にて統合モデリング部４０２ｄの処理により作成された統合ＢＩＭモデルを含むレイアウト画面を生成する（ステップＳＢ−１７）。ここで、ステップＳＢ−１７において、画面生成部４０２ｆは、上述の図８に示すようなレイアウト画面を生成する。また、ステップＳＢ−１７において、画面生成部４０２ｆは、統合ＢＩＭモデルに組み込まれた昇降機のＢＩＭパーツのパーツ情報、および／または、建築物のＢＩＭモデルの構造情報を含むレイアウト画面を生成してもよい。例えば、画面生成部４０２ｆは、パーツ情報および構造情報に基づいて、昇降機が設置された設置予定位置における建築物との昇降機との空間関係を明示する情報を含むレイアウト画面を生成する。
【０１１７】
そして、画面表示部４０２ｇは、ステップＳＢ−１７にて画面生成部４０２ｆの処理により生成されたレイアウト画面を表示部４１４に表示させる（ステップＳＢ−１８）。例えば、画面表示部４０２ｇは、上述の図８に示すようなレイアウト画面を表示部４１４に表示させる。
【０１１８】
なお、ステップＳＢ−１８にて画面表示部４０２ｇの処理によりレイアウト画面を表示した後、制御部４０２は、画面表示部４０２ｄの処理により表示されたレイアウト画面上でＢＩＭパーツを変更してもよい。この場合、図示しないが、上述のステップＳＢ−１７の処理に戻り、画面生成部４０２ｆは、制御部４０２の処理により変更された昇降機のＢＩＭパーツを含むレイアウト画面を生成し、その後、ステップＳＢ−１８の処理へ進む。
【０１１９】
そして、動作解析部４０２ｈは、ステップＳＢ−１８にて画面表示部４０２ｇの処理により表示されたレイアウト画面上で昇降機のＢＩＭパーツの動作をシミュレーションする（ステップＳＢ−１９）。具体的には、ステップＳＢ−１９において、動作解析部４０２ｈは、昇降機のＢＩＭパーツに含まれるパーツ情報が示すＢＩＭパーツの動作パラメータに基づいて昇降機のＢＩＭパーツの動作をシミュレーションする。例えば、動作解析部４０２ｈは、上述した図８に示すようなレイアウト画面内のエレベータのＢＩＭパーツを、動作パラメータに従って統合ＢＩＭモデル内で動作させる。一例として、動作解析部４０２ｈは、レイアウト画面上の統合ＢＩＭモデルにおいて、エレベータの扉を開閉したり、乗りかごを昇降させる等の表示を行うことで、ＢＩＭパーツの動作をシミュレーションする。
【０１２０】
以上で、第２の実施形態におけるＢＩＭシステムの処理の一例の説明を終える。
【０１２１】
このように、上述した第１〜第２の実施形態によれば、利用者により入力される作成条件に対応するＢＩＭパーツをパーツ情報を用いて作成し、作成されたＢＩＭパーツを設置予定領域に設置した統合ＢＩＭモデルを作成し、作成された統合ＢＩＭモデルを含むレイアウト画面を生成し、生成されたレイアウト画面を表示させるので、利用者は、昇降機の設備計画を提案する際、建築物に昇降機を組み込んだ状態を視覚的に分かりやすく表示することができる。また、利用者は、昇降機を設置する建築物の設計段階から施工、竣工後、改修時等の全体を通したシミュレーションを行うことができる。これにより、利用者は、昇降機を設置する建築物の設計において、全体的な管理および確認を行えるので、客先の要望をより良く反映した提案が容易となる。その結果、本実施形態によれば、利用者は、打合せ時間を短縮でき、不具合発生率を低減でき、更に、再製作時等のコストを抑制することができる。
【０１２２】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１２３】
例えば、上述の実施形態では、昇降機としてエレベータを例について説明したが、エスカレータ、動く歩道等の乗客コンベアについても同様に本発明を適用できる。
【０１２４】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１２５】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１２６】
また、端末装置１００、サーバ装置２００、および、ＢＩＭ装置４００に関して、図示の各構成要素は機能概念的なものであり、必ずしも物理的に図示の如く構成されていることを要しない。
【０１２７】
例えば、端末装置１００、サーバ装置２００、および、ＢＩＭ装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、および、ＢＩＭ装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１２８】
また、このコンピュータプログラムは、端末装置１００、サーバ装置２００、および、ＢＩＭ装置４００に対して任意のネットワーク３００を介して接続されたアプリケーションプログラムサーバに記憶されていてもよく、必要に応じてその全部または一部をダウンロードすることも可能である。
【０１２９】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、および、Ｂｌｕ−ｒａｙ  Ｄｉｓｃ等の任意の「可搬用の物理媒体」を含むものとする。
【０１３０】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１３１】
記憶部１０６、記憶部２０６、および、記憶部４０６に格納される各種のデータベース等（ＢＩＭモデルデータベース１０６ａ、パーツ情報データベース２０６ａ、パーツ情報データベース４０６ａ、および、ＢＩＭモデルデータベース４０６ｂ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１３２】
また、端末装置１００、サーバ装置２００、および、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、および、ＢＩＭ装置４００は、該情報処理装置に本発明の方法を実現させるソフトウェア（プログラム、データ等を含む）を実装することにより実現してもよい。
【０１３３】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１３４】
以上で説明した実施形態、変形例に係るＢＩＭシステム、サーバ装置、端末装置、方法及びプログラムによれば、昇降機の設備計画を提案する際、建築物に昇降機を組み込んだ状態を視覚的に分かりやすく表示することができる。
【符号の説明】
【０１３５】
１００  端末装置
１０２  制御部
１０２ａ  作成条件送信部
１０２ｂ  操作画面表示部
１０２ｃ  統合モデリング部
１０２ｄ  エラー出力部
１０２ｅ  画面生成部
１０２ｆ  画面表示部
１０２ｇ  動作解析部
１０４  通信制御インターフェース部
１０６  記憶部
１０６ａ  ＢＩＭモデルデータベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０４  通信制御インターフェース部
２０６  記憶部
２０６ａ  パーツ情報データベース
３００  ネットワーク
４００  ＢＩＭ装置
４０２  制御部
４０２ａ  作成条件設定部
４０２ｂ  昇降機モデリング部
４０２ｃ  操作画面表示部
４０２ｄ  統合モデリング部
４０２ｅ  エラー出力部
４０２ｆ  画面生成部
４０２ｇ  画面表示部
４０２ｈ  動作解析部
４０６  記憶部
４０６ａ  パーツ情報データベース
４０６ｂ  ＢＩＭモデルデータベース
４０８  入出力制御インターフェース部
４１４  表示部
４１６  音声出力部
４１８  入力部
【図１】
0005559256.tif 000002
【図２】
0005559256.tif 000003
【図３】
0005559256.tif 000004
【図４】
0005559256.tif 000005
【図５】
0005559256.tif 000006
【図６】
0005559256.tif 000007
【図７】
0005559256.tif 000008
【図８】
0005559256.tif 000009
【図９】
0005559256.tif 000010
【図１０】
0005559256.tif 000011
【図１１】
0005559256.tif 000012
【図１２】
0005559256.tif 000013
【図１３】
0005559256.tif 000014
【図１４】
0005559256.tif 000015
【図１５】
0005559256.tif 000016